(57)【要約】【課題】利便性の高いメモリシステムを提供する。【解決手段】本実施形態に係るメモリシステムは、第一のホスト装置と接続可能な第一インタフェースを有し、前記第一のホスト装置から前記第一インタフェースを介して供給される電力にもとづいて動作し、設定ファイルが保存される第一記憶装置と、第二インタフェースを有し、第二のホスト装置からの電波にもとづいて生成された電力にもとづいて動作可能な第二記憶装置と、前記第一インタフェースを介して供給される電力にもとづいて動作する第一コントローラと、を備える。前記第一コントローラが電力の供給を受けているときには、前記第一記憶装置から前記設定ファイルで設定されているファイル名を読み出し、そのファイル名に対応する第一データを前記第一記憶装置から読み出し、前記読み出した第一データを前記第二記憶装置へ保存する。【選択図】図８
2019057334.tif 000002
【特許請求の範囲】
【請求項１】
第一のホスト装置と接続可能な第一インタフェースを有し、前記第一のホスト装置から前記第一インタフェースを介して供給される電力にもとづいて動作し、設定ファイルが保存される第一記憶装置と、
第二インタフェースを有し、第二のホスト装置からの電波にもとづいて生成された電力にもとづいて動作可能な第二記憶装置と、
前記第一インタフェースを介して供給される電力にもとづいて動作する第一コントローラと、
を備え、
前記第一コントローラが電力の供給を受けているときには、前記第一記憶装置及び前記第二記憶装置のデータを読み出しまたは書き込み、
前記第一コントローラが電力の供給を受けていないときには、前記第二記憶装置のデータを読み出しまたは書き込み、
前記第一コントローラが電力の供給を受けているときには、前記第一記憶装置から前記設定ファイルで設定されているファイル名を読み出し、そのファイル名に対応する第一データを前記第一記憶装置から読み出し、前記読み出した第一データを前記第二記憶装置へ保存するメモリシステム。
【請求項２】
前記第一データは、前記第一コントローラが電力の供給を受けているときに前記第一のホスト装置から受信した書き込みコマンドに対応するデータである請求項１記載のメモリシステム。
【請求項３】
前記第一コントローラが電力の供給を受けていないときに、前記第二のホスト装置から受信された前記第一データの読み出しコマンドに対して、前記第二記憶装置へ保存された前記データは、前記第二のホスト装置に送信される請求項１または２に記載のメモリシステム。
【発明の詳細な説明】
【技術分野】
【０００１】
本実施形態はメモリシステムに関する。
【背景技術】
【０００２】
例えばＮＦＣアンテナを備えたＳＤメモリカードがある。
【先行技術文献】
【特許文献】
【０００３】
【特許文献１】特許第４９８６２６４号公報
【特許文献２】特許第４３３９０２０号公報
【特許文献３】特開平０４−３２３９８０号公報
【発明の概要】
【発明が解決しようとする課題】
【０００４】
本実施形態は、利便性の高いメモリシステムを提供する。
【課題を解決するための手段】
【０００５】
本実施形態に係るメモリシステムは、第一のホスト装置と接続可能な第一インタフェースを有し、前記第一のホスト装置から前記第一インタフェースを介して供給される電力にもとづいて動作し、設定ファイルが保存される第一記憶装置と、第二インタフェースを有し、第二のホスト装置からの電波にもとづいて生成された電力にもとづいて動作可能な第二記憶装置と、前記第一インタフェースを介して供給される電力にもとづいて動作する第一コントローラと、を備える。前記第一コントローラが電力の供給を受けているときには、前記第一記憶装置及び前記第二記憶装置のデータを読み出しまたは書き込み、前記第一コントローラが電力の供給を受けていないときには、前記第二記憶装置のデータを読み出しまたは書き込み、前記第一コントローラが電力の供給を受けているときには、前記第一記憶装置から前記設定ファイルで設定されているファイル名を読み出し、そのファイル名に対応する第一データを前記第一記憶装置から読み出し、前記読み出した第一データを前記第二記憶装置へ保存する。
【図面の簡単な説明】
【０００６】
【図１】第一実施形態に係る無線通信方法及び、その構成を説明する模式的なブロック図である。
【図２】第一実施形態に係る無線記憶装置の構成を例示する模式的なブロック図である。
【図３】（ａ）第一実施形態に係る無線記憶装置の表面を例示する模式的な平面図である。（ｂ）第一実施形態に係る無線記憶装置の裏面を例示する平面図である。
【図４】第一実施形態に係る第一無線通信装置の構成を例示する模式的なブロック図である。
【図５】第一実施形態に係る第三無線通信装置の構成を例示する模式的なブロック図である。
【図６】第一実施形態に係る基地局の構成を例示する模式的なブロック図である。
【図７】第一実施形態に係る第一アクセサリーの構成を例示する模式的なブロック図である。
【図８】第一実施形態に係る第一無線記憶装置の第一動作例を説明する模式的なブロック図である。
【図９】第一実施形態に係る第一無線記憶装置の第一動作例を説明する模式的なフローチャートである。
【図１０】第一実施形態に係る第一無線記憶装置の第二動作例を説明する模式的なブロック図である。
【図１１】第一実施形態に係る第一無線記憶装置の第二動作例を説明する模式的なフローチャートである。
【図１２】第一実施形態に係る第一無線記憶装置の第三動作例を説明する模式的なブロック図である。
【図１３】第一実施形態に係る第一無線記憶装置の第三動作例を説明する模式的なフローチャートである。
【図１４】第一実施形態に係る第一無線記憶装置の第四動作例を説明する模式的なブロック図である。
【図１５】第一実施形態に係る第一無線記憶装置の第四動作例を説明する模式的なフローチャートである。
【図１６】第一実施形態に係る第一無線記憶装置の第五動作例を説明する模式的なブロック図である。
【図１７】第一実施形態に係る第一無線記憶装置の第五動作例を説明する模式的なフローチャートである。
【図１８】第一実施形態に係る第一無線記憶装置の第六動作例を説明する模式的なブロック図である。
【図１９】第一実施形態に係る第一無線記憶装置の第六動作例を説明する模式的なフローチャートである。
【図２０】第一実施形態に係る第一無線記憶装置の第七動作例を説明する模式的なブロック図である。
【図２１】第一実施形態に係る第一無線記憶装置の第一動作例を説明する模式的なタイミングチャートである。
【図２２】第一実施形態に係る第一無線記憶装置の第二動作例を説明する模式的なタイミングチャートである。
【図２３】第一実施形態に係る第一無線記憶装置の第三動作例を説明する模式的なタイミングチャートである。
【図２４】第一実施形態に係る第一無線記憶装置の第四動作例を説明する模式的なタイミングチャートである。
【図２５】第一実施形態に係る第一無線記憶装置の第五動作例を説明する模式的なタイミングチャートである。
【図２６】第一実施形態に係る第一無線記憶装置の第六動作例を説明する模式的なタイミングチャートである。
【図２７】第一実施形態に係る第一無線記憶装置の第七動作例を説明する模式的なタイミングチャートである。
【図２８】第一実施形態に係る第一無線記憶装置の第一動作例〜第七動作例をまとめた表である。
【図２９】第一実施形態に係る遊戯システムの第一ケースを説明する模式的なフローチャートである。
【図３０】第一実施形態に係る遊戯システムの第一ケースの変形例を説明する模式的なフローチャートである。
【図３１】第一実施形態に係る遊戯システムの第二ケースを説明する模式的なフローチャートである。
【図３２】第一実施形態に係る遊戯システムの第三ケースを説明する模式的なフローチャートである。
【図３３】第一実施形態に係る遊戯システムの第四ケースを説明する模式的なフローチャートである。
【図３４】第一実施形態に係る遊戯システムの第五ケースを説明する模式的なフローチャートである。
【図３５】第一実施形態に係る遊戯システムの第六ケースを説明する図である。
【図３６】第一実施形態に係る遊戯システムの第六ケースを説明する模式的なフローチャートである。
【図３７】第一実施形態に係る遊戯システムの各ケースと、第一無線記憶装置の動作例との関係を説明する表である。
【図３８】第二実施形態に係る無線通信方法の構成を例示するブロック図である。
【図３９】第二実施形態に係る第一無線通信装置の構成を例示するブロック図である。
【図４０】第三実施形態に係る第一アクセサリーの構成を例示するブロック図である。
【図４１】第四実施形態に係るメモリシステム及びその構成を説明する模式的なブロック図である。
【図４２】第四実施形態のメモリシステムのより具体的な実施例を例示する模式的な図である。
【図４３】第四実施形態のメモリシステムの動作を説明するための模式的なフローチャートである。
【図４４】図４４（ａ）〜図４４（ｃ）は、本実施形態の第一無線記憶装置の動作を説明するための模式的ブロック図である。
【図４５】第五実施形態に係るメモリシステム及びその構成を説明する模式的なブロック図である。
【図４６】第五実施形態のメモリシステムのより具体的な実施例を例示する模式的な図である。
【図４７】第五実施形態のメモリシステムの動作を説明するための模式的なフローチャートである。
【図４８】図４８（ａ）〜図４８（ｃ）は、本実施形態の第一無線記憶装置の動作を説明するための模式的ブロック図である。
【発明を実施するための形態】
【０００７】
以下、図面を参照して実施形態について説明する。以下の説明において、略同一の機能及び構成要素については、同一符号を付す。また、各機能ブロックが、以下の例のように区別されていることは必須ではない。例えば、一部の機能が例示の機能ブロックとは別の機能ブロックによって実行されてもよい。さらに、例示の機能ブロックがさらに細かい機能サブブロックに分割されていてもよい。
【０００８】
（第一実施形態）  
図１は、本実施形態に係る遊戯システムの構成を説明するブロック図である。  
遊戯システムは、第一無線記憶装置１００５と、第一通信機器（玩具）１０１５と、第一アクセサリー１５２０と、第二無線記憶装置１５１０と、第二通信機器（玩具）１０１７と、第二アクセサリー１５２５と、第三通信機器１０１９と、基地局１５３０と、サーバー１５３５と、を含む。説明の便宜上、本実施形態の遊戯システムは２つの通信機器１０１５，１０１７を含む場合で説明するが、２つに限定されず、遊戯システムが例えば４個、又は１０個等の通信機器を含んでもよい。  
なお、各要素については後に詳述するため、ここでは通信関係とその概略のみを説明する。
【０００９】
第一無線記憶装置１００５は、例えば、無線通信機能を備えたメモリカードである。無線通信機能は、例えば無線ＬＡＮやＮＦＣ（Near Field Communication）等の任意の無線通信機能である。第一無線記憶装置１００５は、第一通信機器１０１５、第二無線記憶装置１５１０、第三通信機器１０１９、基地局１５３０と通信可能である。
【００１０】
第一無線記憶装置１００５は、例えば第一通信機器１０１５に挿入できる。第一無線記憶装置１００５を第一通信機器１０１５に挿入すると、第一無線記憶装置１００５は、接続端子を介して第一通信機器１０１５と電気的に接続される。その結果、第一無線記憶装置１００５は第一通信機器１０１５と通信できる。
【００１１】
第一無線記憶装置１００５は、第二無線記憶装置１５１０、第三通信機器１０１９及び基地局１５３０と無線通信を行う。
【００１２】
第一通信機器１０１５は、例えば、玩具等である。第一通信機器１０１５は、第一無線記憶装置１００５に加えて、第一アクセサリー１５２０と双方向に通信できる。なお、第一通信機器１０１５と第一アクセサリー１５２０との通信は双方向通信に限定されず、例えば第一通信機器１０１５が、第一アクセサリー１５２０に付されたコードを一方的に読み出し、双方向通信をしなくてもよい。
【００１３】
第一アクセサリー１５２０は、第一通信機器１０１５のアクセサリーである。より具体的には、第一アクセサリー１５２０は、キーホルダー、ストラップ、メダル、カード等である。第一アクセサリー１５２０の表面にコードが付されている。このコードは、第一通信機器１０１５から読み取り可能である。
【００１４】
第三通信機器１０１９は、例えばスマートフォンである。第三通信機器１０１９は、無線通信を介して、第一無線記憶装置１００５と通信できる。
【００１５】
基地局１５３０は、例えば、ショッピングモール、電気屋、玩具屋等に配置された、通信端末である。基地局１５３０は、例えば、ステーションやスポットである。基地局１５３０は、無線通信を介して、第一無線記憶装置１００５と通信する。基地局１５３０は、無線通信、又は有線通信を介して、サーバー１５３５と通信する。
【００１６】
サーバー１５３５は、基地局１５３０からの要求に応じて処理を行う。サーバー１５３５は、データの保存を行う。
【００１７】
第二無線記憶装置１５１０は、例えば、第一無線記憶装置１００５と同様に、無線通信機能を備えたメモリカードである。第二無線記憶装置１５１０は、第一無線記憶装置１００５に加えて、第二通信機器１０１７と通信可能である。
【００１８】
第二通信機器１０１７は、第一通信機器１０１５と同様の構成と機能を備える。第二通信機器１０１７は、第二無線記憶装置１５１０に加えて、第二アクセサリー１５２５と通信可能である。
【００１９】
なお、第一通信機器１０１５と第二通信機器１０１７とは、同じ種類の物である必要はない。例えば、第一通信機器１０１５と第二通信機器１０１７とは、同種類の玩具で品番が異なっていてもよい。または、両者が異なる種類の玩具（例えば、キーホルダー形状の玩具と時計形状の玩具）であってもよい。または、一方がスマートフォン上のアプリで、もう一方が時計形状の玩具であってもよい。
【００２０】
第二アクセサリー１５２５は、第一アクセサリー１５２０と同様の構成と機能を備える。なお、第一通信機器１０１５と第二通信機器１０１７との関係と同様に、第一アクセサリー１５２０と第二アクセサリー１５２５とが、同じ種類の物である必要はない。
【００２１】
（第一無線記憶装置１００５について）  
図２は、本実施形態に係る第一無線記憶装置１００５の構成及び、その周辺である第一通信機器１０１５、第二無線記憶装置、第三通信機器、基地局の相関を示すブロック図である。なお、第一無線記憶装置１００５の動作方法等については、後で詳述するため、ここでは各要素について説明する。
【００２２】
第一無線記憶装置１００５は、例えばＳＤインターフェースにしたがって第一通信機器１０１５とデータ及びコマンドを送受信するが、他のインターフェースを用いてもよい。また、第一無線記憶装置１００５は、例えばＮＦＣインターフェースに沿って第三通信機器１０１９とデータ及びコマンドを送受信するが、他の無線通信インターフェースを用いてもよい。
【００２３】
第一無線記憶装置１００５は、第一コントローラ１０３３と、第一無線アンテナ１０２０と、不揮発性半導体メモリ１０２５と、第一ＮＦＣコントローラ１０３０と、メモリコントローラ１０３５と、接続端子１０６５とを有する。なお、第一コントローラ１０３３、メモリコントローラ１０３５、第一ＮＦＣコントローラ１０３０は、必ずしも別々に設ける必要はなく、任意の組み合わせが一体に設けられていてもよい。
【００２４】
第一無線記憶装置１００５は、電気的に接続された第一通信機器１０１５から供給される電力により動作する。第一無線記憶装置１００５は、データを書込み及び読み出す機能を備える。
【００２５】
また、第一無線記憶装置１００５は、第一無線アンテナ１０２０の電磁誘導によって発生（誘起）する電力によっても、少なくともその一部が動作可能である。例えば、第一無線記憶装置１００５は、１３．５６ＭＨｚなどの周波数で近距離無線通信規格（ＮＦＣ：Near Field Communication）に沿った通信を行い、第二無線記憶装置１５１０、第三通信機器１０１９、基地局１５３０に対してデータを書込み及び読み出しできる。つまり、第一無線記憶装置１００５は、第一通信機器１０１５から電力の供給を受けなくても動作可能である。なお、ＮＦＣ通信は、一般的な無線ＬＡＮ通信より低電力で通信可能である。
【００２６】
具体的には、第一コントローラ１０３３、メモリコントローラ１０３５、不揮発性半導体メモリ１０２５は、第一無線記憶装置１００５が第一通信機器１０１５から電力の供給を受けている場合に動作する。第一無線記憶装置１００５が第一無線アンテナ２０を介した電力の供給のみを受けている場合には、第一コントローラ１０３３、メモリコントローラ１０３５、不揮発性半導体メモリ１０２５は、必ずしも動作しなくともよい。
【００２７】
他方、第一ＮＦＣコントローラ１０３０は、第一無線記憶装置１００５が第一無線アンテナ１０２０を介した電力の供給のみを受けている場合であっても動作可能である。つまり、第一無線アンテナ１０２０がＮＦＣに対応する所定の周波数の無線電波を受信すると、第一ＮＦＣコントローラ１０３０は動作可能となる。すなわち、第一無線記憶装置１００５はＮＦＣによる通信が可能となる。
【００２８】
第一コントローラ１０３３は、第一通信機器１０１５、メモリコントローラ１０３５、第一ＮＦＣコントローラ１０３０からコマンドＣＭＤ、アドレスＡＤＤ，データＤＡＴを受信する。
【００２９】
第一コントローラ１０３３は、受信したコマンドＣＭＤに基づき、メモリコントローラ１０３５、第一ＮＦＣコントローラ１０３０、第一通信機器１０１５にコマンドＣＭＤ、アドレスＡＤＤ，データＤＡＴ等を出力する。
【００３０】
メモリコントローラ１０３５は、不揮発性半導体メモリ１０２５を制御する。メモリコントローラ１０３５は、例えば、第一コントローラ１０３３から入力されたコマンドＣＭＤ等に基づいて、不揮発性半導体メモリ１０２５へデータを書き込む。また、メモリコントローラ１０３５は、例えば、第一コントローラ１０３３から入力されたコマンドＣＭＤ等に基づいて、不揮発性半導体メモリ１０２５からデータを読みだし、第一コントローラ１０３３へデータを出力する。また、メモリコントローラ１０３５は、第一コントローラ１０３３を経由せずに、第一ＮＦＣコントローラ１０３０や第一通信機器１０１５と通信してもよい。
【００３１】
不揮発性半導体メモリ１０２５は、例えばＮＡＮＤ型フラッシュメモリであるが、ＮＯＲ型フラッシュメモリ、ＭＲＡＭ（Magnetoresitive Random Access Memory：磁気抵抗メモリ）、ＰＲＡＭ（Phase change Random Access Memory：相変化メモリ）、ＲｅＲＡＭ（Resistive Random Access Memory：抵抗変化型メモリ）、ＦｅＲＡＭ（Ferroelectric Random Access Memory：強誘電体メモリ）など他の不揮発性半導体メモリでもよい。例えば、不揮発性半導体メモリ１０２５は、他の不揮発性メモリ等に変更されてもよい。
【００３２】
不揮発性半導体メモリ１０２５は、第一通信機器１０１５から第一無線記憶装置１００５に電力が供給されている場合に動作する。
【００３３】
第一無線アンテナ１０２０は、例えば、ＰＣＢパターンアンテナである。第一無線アンテナの動作可能な周波数帯は、ＮＦＣに対応する所定の周波数帯に設定されている。
【００３４】
第一無線アンテナ１０２０は、例えば、第三通信機器１０１９からの電波に基づき、電磁誘導による電力を発生できる。第一無線アンテナ１０２０は、発生した電力を第一ＮＦＣコントローラ１０３０に供給する。
【００３５】
第一無線アンテナ１０２０は、第二無線記憶装置１５１０、第三通信機器１０１９、基地局１５３０からコマンドＣＭＤ、アドレスＡＤＤ，データＤＡＴを受信する。第一無線アンテナ１０２０は、受信したコマンドＣＭＤ等を、第一ＮＦＣコントローラ１０３０に出力する。
【００３６】
第一無線アンテナ１０２０は、第一ＮＦＣコントローラ１０３０から入力されたコマンドＣＭＤ等を、第二無線記憶装置１５１０、第三通信機器１０１９、基地局１５３０に出力する。
【００３７】
第一ＮＦＣコントローラ１０３０は、第一記憶部１０４０と電圧検波器１０４５とを有する。なお、第一ＮＦＣコントローラ１０３０と第一記憶部１０４０とは分離した構成としてもよい。
【００３８】
第一コントローラ１０３３は、第一通信機器１０１５、メモリコントローラ１０３５、第一ＮＦＣコントローラ１０３０からコマンドＣＭＤ、アドレスＡＤＤ，データＤＡＴを受信する。
【００３９】
第一コントローラ１０３３は、受信したコマンドＣＭＤに基づき、メモリコントローラ１０３５、第一ＮＦＣコントローラ１０３０、第一通信機器１０１５にコマンドＣＭＤ、アドレスＡＤＤ，データＤＡＴ等を出力する。
【００４０】
第一ＮＦＣコントローラ１０３０は、第一無線アンテナ１０２０を介した第三通信機器１０１９等との通信を行う。
【００４１】
第一ＮＦＣコントローラ１０３０は、第一コントローラ１０３３、第一無線アンテナ１０２０からコマンドＣＭＤ、アドレスＡＤＤ，データＤＡＴ等を受信する。第一ＮＦＣコントローラ１０３０は、受信したコマンドＣＭＤに基づいて、例えば、第一コントローラ１０３３、第一無線アンテナ１０２０へデータＤＡＴ等を出力する。
【００４２】
また、第一ＮＦＣコントローラ１０３０は、受信したコマンドＣＭＤ、アドレスＡＤＤ等に基づいて、第一記憶部１０４０からデータＤＡＴを読み出して、第一コントローラ１０３３、第一無線アンテナ１０２０へデータＤＡＴを出力する。
【００４３】
さらに、第一ＮＦＣコントローラ１０３０は、受信したコマンドＣＭＤ、アドレスＡＤＤ、データＤＡＴ等に基づいて、第一記憶部１０４０へデータＤＡＴを書き込む。
【００４４】
なお、第一通信機器１０１５、第一コントローラ１０３３、メモリコントローラ１０３５、第一ＮＦＣコントローラ１０３０、第一無線アンテナ１０２０等の間で通信されるコマンドＣＭＤ、アドレスＡＤＤ、データＤＡＴ等は、必ずしもその形式が一致する必要はない。通信する両者が認識可能なコマンドＣＭＤ、アドレスＡＤＤ、データＤＡＴであれば、他の部分で通信される際のコマンドＣＭＤ、アドレスＡＤＤ、データＤＡＴ等と形式的に一致する必要はない。
【００４５】
第一ＮＦＣコントローラ１０３０は、第一コントローラ１０３３又は第一無線アンテナ１０２０を介して関連データ生成コマンドＣＭＤとデータＤＡＴを受信した場合、関連データＤＡＴ'を生成し、第一記憶部１０４０に書き込んでもよい。
【００４６】
なお、第一ＮＦＣコントローラ１０３０は、必ずしも第三通信機器１０１９側への書き込み機能を有しなくともよい。すなわち、第一無線記憶装置１００５の外のＮＦＣタグ等への書き込み機能を有する必要はない。また、第三通信機器１０１９が第一無線アンテナ１０２０を介して、第一記憶部１０４０へデータを書き込む際は、第三通信機器１０１９が直接第一記憶部１０４０へ書き込んでもよい。つまり、第一記憶部１０４０へのデータの書き込みは、第一ＮＦＣコントローラ１０３０が必ずしも行わなくともよい。
【００４７】
第一記憶部１０４０は、例えば不揮発性メモリである。第一記憶部１０４０は、第一ＮＦＣコントローラ１０３０又はメモリコントローラ１０３５による制御にしたがってデータを記憶する。なお、第一記憶部１０４０におけるデータの保存は、一時的でもよい。第一記憶部１０４０としては、例えば、ＥＥＰＲＯＭ（Electrically Erasable Programmable Read-Only Memory）が用いられるが、上記不揮発性半導体メモリ１０２５と同様に各種のメモリを用いることができる。
【００４８】
なお、第一無線アンテナ１０２０から供給される電力で動作可能とするため、第一記憶部１０４０に用いる不揮発性メモリは、単位容量当たりの消費電力が不揮発性半導体メモリ１０２５よりも低消費電力であるほうが望ましい。具体的には、ＮＯＲ型のメモリを用いてもよい。
【００４９】
第一記憶部１０４０に保存されるデータには、例えば、第一無線記憶装置１００５の関連データ（不揮発性半導体メモリ１０２５に保存されるデータ（例えば画像データ、音データ（音楽データ、音声データ等）、映像データ等）の一部や、不揮発性半導体メモリ１０２５に保存されるデータに関連するデータ、不揮発性半導体メモリ１０２５、第一無線記憶装置１００５に関するデータ）や、第一通信機器１０１５に関連するデータや、第一通信機器１０１５に接続された第一アクセサリー１５２０に関連するデータや、第一コントローラ１０３３や第三通信機器１０９９等から受信したコマンドＣＭＤの情報が含まれる。
【００５０】
具体例を挙げて説明する。なお、これらは一例であって、第一記憶部１０４０に保存されるデータがこれらに制限される趣旨ではない。
【００５１】
不揮発性半導体メモリ１０２５に保存される画像データに関連するデータは、例えば、ファイル名データ、画像データのうちの最初又は最後の部分、又は画像データのサムネイル画像データ、ファイル生成時間データ、撮影時刻データ、データＩＤ等である。
【００５２】
不揮発性半導体メモリ１０２５に保存される音データに関連するデータは、例えば、ファイル名データ、音データのうちの最初又は最後の部分、又は音データの再生時間データ、ファイル生成時間データ、データＩＤ等である。
【００５３】
不揮発性半導体メモリ１０２５に関連するデータは、不揮発性半導体メモリ１０２５のメモリ容量のデータ、残り容量のデータ、保存されているファイル数のデータ等である。
【００５４】
第一無線記憶装置１００５に関するデータは、認識ＩＤデータ（各第一無線記憶装置１００５に任意に割り当てられる識別用の番号、例えば製造時に割り当てられる固有の製品ＩＤや、後で第一無線記憶装置１００５毎に任意に割り付けられたＩＤ等）やコメント（ユーザが、第一通信機器１０１５を介して、第一無線記憶装置１００５に記憶させた、第一無線記憶装置１００５に関連付けられたテキストデータ）等である。
【００５５】
第一通信機器１０１５に関連するデータは、第一通信機器１０１５の認識ＩＤデータや、第一通信機器１０１５のファームウェアの更新情報、これらの情報に基づいて生成されたフラグ情報等である。
【００５６】
第一アクセサリー１５２０に関連するデータは、第一アクセサリーの認識ＩＤデータや、第一アクセサリーに備えられたコードに含まれるデータや、そのデータから生成されたフラグ情報等である。
【００５７】
電圧検波器１０４５は、第一無線アンテナ１０２０と電気的に接続されている。電圧検波器１０４５は、第一無線アンテナ１０２０から第一ＮＦＣコントローラ１０３０に供給される電圧を検知する。そして、電圧検波器４５は、第一ＮＦＣコントローラ１０３０が動作可能な所定の電圧に達するまで、ＮＦＣによる通信のリセットコマンドを出す。第一ＮＦＣコントローラ１０３０は、このリセットコマンドを受信している間は、ＮＦＣによる通信を行わない。このリセットコマンドにより、ＮＦＣによる通信の異常起動・動作を防止ができる。電圧検波器１０４５は所定の電圧に達している場合に、動作可能コマンドを第一ＮＦＣコントローラ１０３０に出力するとしてもよい。第一ＮＦＣコントローラ１０３０は、動作可能コマンドを受信している場合のみ、ＮＦＣによる通信を行う。
【００５８】
接続端子１０６５は、例えば規格化された接続端子であり、第一通信機器１０１５と接続可能である。
【００５９】
本実施形態に係る第一無線記憶装置１００５は、例えば、"無線用アンテナを搭載したメモリカード"という米国特許出願１４／４７７２００に記載された構成及び動作方法を用いてもよい。この特許出願は、その全体が本願明細書において参照により援用されている。
【００６０】
図３は、第一無線記憶装置１００５の表面・裏面を示す模式的な平面図である。  
図３（ａ）に示す通り、第一無線記憶装置１００５は、コード１１２０をその表面に有する。コード１１２０は、第三通信機器１０１９に設けられた撮像部（ＣＭＯＳセンサ）等や、第一通信機器１０１５に設けられたコード認識部等によりが検知可能である。
【００６１】
コード１１２０は、例えば、縦方向と横方向の２次元に情報をもつ二次元コードである。コード１１２０は、例えば、図３（ａ）に示したように、白黒のドットによる二次元のマトリクスコードである。コード１１２０は、スタックコードであってもよいし、一次元のバーコードであってもよい。また、キャラクターの形状に模したものであってもよい。
【００６２】
コード１１２０は、例えば、シール状であって、ユーザが購入後に貼り付けてもよいし、製造時に貼り付けてもよい。コード１１２０は、第一無線記憶装置１００５のケースに直接、例えば印刷等により、配置されていてもよい。また、コード１１２０は第一無線記憶装置１００５の表面、裏面の両方に配置されていても構わない。
【００６３】
さらに、コード１１２０は、第一無線記憶装置１００５に直接配置される必要はなく、間接的に配置しても構わない。例えば、第一無線記憶装置１００５の少なくとも一部を覆うようなケースを設け、そのケースの表面にコード１１２０を配置しても構わない。このように、ケースを設けることで、ユーザは第一無線記憶装置１００５の全体を認識せずに済むため、例えば玩具である第一通信機器１０１５に対する没入感を向上させることが可能である。
【００６４】
コード１１２０は、例えば、第一無線記憶装置１００５の認識ＩＤの情報（第一情報）を含む。別の言い方をすれば、第一無線記憶装置１００５の外面には、認識ＩＤ等の第一情報が表示されている。
【００６５】
図３（ｂ）に示す通り、第一無線記憶装置１００５は、複数の接続端子１０６５をその裏面側に有する。複数の接続端子１０６５は、第一無線記憶装置１００５の一端側に沿って配置される。
【００６６】
上述したように、第一無線記憶装置１００５は、１つ、または共通の外囲器もしくは筐体に実装された、たとえばメモリカードであるが、上述の各要素の一部または全部を別個に備えるメモリシステムであってもよい。たとえば、メモリシステムは、メモリコントローラ１０３５及び不揮発性半導体メモリ１０２５を有するメモリモジュールと、第一無線アンテナ１０２０、第一ＮＦＣコントローラ１０３０、第一記憶部１０４０及び電圧検波器１０４５を有するＮＦＣモジュールと、第一コントローラ１０３３を有する制御装置と、を備えるようにしてもよい。第一コントローラ１０３３は、たとえばＳＰＩインタフェース等によってＮＦＣモジュールと接続される。第一コントローラ１０３３は、たとえば後述する第一通信機器１０１５が有する制御部１３９０に含まれていてもよく、制御部１３９０が実行するプログラムのステップとして実行されるものであってもよい。
【００６７】
（第一通信機器について）  
図４は、第一通信機器（玩具）１０１５の構成を説明する模式的なブロック図である。
【００６８】
第一通信機器１０１５は、アクセサリー保持部１３１０と、コード認識部１３２０と、メモリカード格納部１３３０と、スピーカー１３４０を含む。第二通信機器１０１７は第一通信機器１０１５と同一の構成でよいため詳細な説明を省略する。
【００６９】
メモリカード格納部１３３０には、外部から記憶装置、例えばメモリカードを挿入することができる。  
説明の便宜上、既に第一無線記憶装置１００５、例えば、ＮＦＣチップ搭載のメモリカードが、メモリカード格納部１３３０に保持されていることを前提に説明する。
【００７０】
アクセサリー保持部１３１０は、アクセサリーを保持する機能を有する。アクセサリー保持部１３１０は、例えば、外部から挿入されたアクセサリーを保持する。なお、アクセサリー保持部１３１０は、外部から挿入されずにアクセサリーを保持してもよい。例えば、キーホルダーのアクセサリーを保持するリンク上のアクセサリー保持部であってもよい。説明の便宜上、既に第一アクセサリー１５２０が、アクセサリー保持部１３１０に保持されていることを前提に説明する。
【００７１】
第一アクセサリー１５２０は、例えば、キャラクターが描かれたカードである。１枚の第一アクセサリー１５２０には、例えば１つのキャラクターが描かれている。この場合に限定されることなく、１枚の第一アクセサリー１５２０に複数のキャラクターが描かれていてもよい。１枚の第一アクセサリー１５２０は、描かれたキャラクターに関する情報が記憶される。第一アクセサリー１５２０は、この情報を例えばコードの形式で記憶する。この場合に限定されず、例えば第一アクセサリー１５２０がＮＦＣチップを含み、かかる情報がＮＦＣチップに記憶されていてもよい。
【００７２】
描かれたキャラクターに関する情報がコードで記憶されている場合には、アクセサリーがアクセサリー保持部１３１０に保持されると、アクセサリーのコードはコード認識部１３２０と対向する（向き合う）。
【００７３】
コード認識部１３２０は、外部から指示を受けて、アクセサリーのコードから、描かれたキャラクターに関する情報を読み出す。かかる情報をメモリカードに転送する。キャラクターに関する情報は、メモリカードに含まれる不揮発性半導体メモリの読み出すべきアドレス情報を含む。
【００７４】
メモリカードの第一コントローラ１０３３は、キャラクターに関する情報を受けて、対応する情報を読み出す。具体的には、第一コントローラ１０３３はメモリコントローラ１０３５に読み出し指示、アドレスを出力し、メモリコントローラ１０３５はキャラクターに関する情報に対応するアドレスのメモリからデータを読み出し、第一コントローラ１０３３に出力する。メモリカードはこのデータをスピーカー１３４０に出力する。
【００７５】
スピーカー１３４０は、ＤＡ変換器（図示略）を介してデータを音声データに変換して外部に出力する。ユーザは、第一通信機器１０１５に挿入した第一アクセサリー１５２０に対応する音声データを聞くことができる。
【００７６】
第一通信機器１０１５は表示部（ディスプレイ）１３５０を含んでもよい。メモリカードから読み出したデータに音声データと動画データが含まれる場合には、音声データをスピーカー１３４０から出力するだけでなく、動画データを表示部１３５０に表示してもよい。音声データをスピーカー１３４０から出力せずに、動画データを表示部１３５０に表示してもよい。
【００７７】
制御部１３９０は、コード認識部１３２０、スピーカー１３４０、表示部１３５０を制御する。また、第一無線記憶装置１００５と通信する。制御部１３９０は、キャッシュメモリ１３９５を有しても良い。  
キャッシュメモリ１３９５は、一時的にデータを保存することができる。
【００７８】
図５は、本実施形態に係る第三通信機器１０１９を例示するブロック図である。なお、第一通信機器１０１５がスマートフォンの場合も同様の構成でよい。  
第三通信機器１０１９は、例えばスマートフォン、ＰＤＡ、タブレット端末、等の無線通信機能を有する装置である。
【００７９】
第三通信機器１０１９は、バッテリー部１０７０と、第二無線アンテナ１０７５と、第二ＮＦＣコントローラ１０８０と、制御部１０８５と、第二記憶部１０９０と、表示部１０９５と、入力部１１００と、無線通信部１１０５、撮影部１１１０と、スピーカー１１１５とを備える。なお、第二ＮＦＣコントローラ１０８０と、制御部１０８５とは１つのコントローラとして実現されてもよい。
【００８０】
第三通信機器１０１９は、バッテリー部１０７０から供給される電力により、動作及び通信可能である。  
第三通信機器１０１９は、例えばＮＦＣインターフェースに沿って、データを送受信可能である。なお、他の無線通信インターフェースを用いてもよい。
【００８１】
バッテリー部１０７０は、第三通信機器１０１９に電力を提供する電源である。バッテリー部１０７０は、例えば電池である。バッテリー部１０７０は、乾電池、蓄電池、燃料電池などでもよい。より具体的には、バッテリー部１０７０は、リチウムイオン電池等を用いてもよい。バッテリー部１０７０は、第三通信機器１０１９の外部にあってもよく、例えば商用電源に接続されたＡＣアダプタ等であってもよい。
【００８２】
第二無線アンテナ１０７５の動作可能な周波数帯は、ＮＦＣに対応する所定の周波数帯に設定されている。
【００８３】
第二無線アンテナ１０７５は、コマンドＣＭＤ，アドレスＡＤＤ，データＤＡＴを受信し、第二ＮＦＣコントローラ１０８０に受信したデータを出力する。第二無線アンテナ１０７５は、第二ＮＦＣコントローラ１０８０から入力されたコマンドＣＭＤ，アドレスＡＤＤ、データＤＡＴを出力する。第二無線アンテナ１０７５は、例えば、ＰＣＢパターンアンテナである。
【００８４】
第二ＮＦＣコントローラ１０８０は、第二無線アンテナ１０７５を制御する。  
第二ＮＦＣコントローラ１０８０は、制御部１０８５から受信したコマンドＣＭＤ、アドレスＡＤＤ、データＤＡＴ等を、第二無線アンテナ１０７５経由で出力可能である。第二ＮＦＣコントローラ１０８０は、第二無線アンテナ１０７５が受信したデータを制御部１０８５へ出力可能である。
【００８５】
制御部１０８５は、例えば、入力部１１００、無線通信部１１０５、撮影部１１１０、第一無線記憶装置１００５からの入力に基づいて、各部の諸動作を制御する。制御部１０８５は、入力されたデータ、またはそれらのデータの計算結果に基づいて、各部を制御し、必要に応じて各部にコマンド等を出力する。
【００８６】
制御部１０８５は、例えば、半導体チップ、基板上に形成された回路、又はそれらの１つ又は複数の組合せである。なお、制御部１０８５は、一時的にデータを蓄える所謂キャッシュメモリやレジスタを有していてもよい。
【００８７】
制御部１０８５は、第二ＮＦＣコントローラ１０８０へコマンドＣＭＤ、アドレスＡＤＤ、データＤＡＴ等を第二無線アンテナ１０７５へ出力可能である。制御部１０８５は、第二無線アンテナ１０７５が受信した、コマンドＣＭＤ，アドレスＡＤＤ，データＤＡＴ第一無線記憶装置１００５から読み取ったデータを受け取る。
【００８８】
制御部１０８５は、第一無線記憶装置１００５へのデータを書き込む際に、各部から入力されたデータ、又はそれらのデータの計算結果と、書込みコマンドＣＭＤ、アドレスＡＤＤを第二ＮＦＣコントローラ１０８０に出力する。
【００８９】
制御部１０８５は、各部と電気的につながっており、各部と電気的に通信する。つまり、制御部１０８５は、各部からデータを受け取り、そのデータ又はそのデータの計算結果を出力することが可能である。例えば、制御部１０８５は、撮影部が撮影した撮影データに強調表示を施した合成画像データを計算（生成）し、表示部１０９５へ出力可能である。例えば、制御部１０８５は、第二記憶部１０９０から読み出した画像データを基に合成画像データを計算（生成）し、表示部１０９５へ出力可能である。これらは一例であって、制御部１０８５は、各部からのデータを受け取り、そのデータの計算結果を出力可能である。
【００９０】
第二記憶部１０９０は、制御部１０８５との通信に基づいて、記憶したデータを制御部１０８５へ出力し、制御部１０８５から受信したデータを記憶する。  
第二記憶部１０９０は、例えばメモリコントローラと不揮発性メモリである。不揮発性メモリは、不揮発性半導体メモリ２５で挙げた種々の不揮発性メモリでもよい。メモリコントローラは、不揮発性メモリを制御する。第二記憶部１０９０は、例えばＨＤＤ（Hard Disk Drive）や、ＳＳＤ（Solid State Disk）などでもよい。
【００９１】
表示部１０９５は、制御部１０８５から受け取ったデータをユーザが認識できる形式で出力する。  
表示部１０９５は、例えばディスプレイである。ユーザは、ディスプレイの表示を視覚により認識可能である。表示部１０９５は、具体的には、液晶ディスプレイ、プラズマディスプレイ、有機ＥＬディスプレイ、三次元ディスプレイ等、種々のディスプレイを用いてもよい。表示部１０９５は、制御部１０８５から受けたデータをディスプレイに表示する。表示部１０９５は、例えば、撮影部１１１０が撮影した画像又は動画データを、およそリアルタイムに表示可能である。
【００９２】
入力部１１００は、ユーザの入力を入力データとして、制御部１０８５へ出力する。  
入力部１１００は、例えばディスプレイに設けられたタッチパネルである。ユーザがディスプレイ上の表示を押すと、入力部１１００はタッチパネル上の押された位置を検知し、その位置情報を入力データとして制御部１０８５へ出力する。入力部１１００は、具体的には、マトリクス状に配置されたスイッチや、抵抗膜方式、表面弾性波方式、赤外線方式、電磁誘導方式、静電容量方式等の各種のタッチパネルを用いて良い。
【００９３】
入力部１１００は、例えばマイクでもよい。ユーザが音声を発すると、入力部１１００は、音声を検知し、音声変換により入力データを抽出し、制御部１０８５へ出力してもよい。
【００９４】
無線通信部１１０５は、無線アンテナ及び無線コントローラを含む。無線通信部１１０５は、外部と無線通信により、データの送受信を行う。無線通信部１１０５は、外部から受信したデータを制御部１０８５に出力する。無線通信部１１０５は、制御部１０８５から受けたデータを外部へ送信する。
【００９５】
撮影部１１１０は、静止画、動画、又はその両方を撮影可能である。撮影部１１１０は、撮影データ（第一画像データ）、つまり静止画又は動画データを制御部１０８５に出力する。なお、本明細書中の撮影には、撮影したデータを記憶することは必ずしも含まれない。
【００９６】
撮影部１１１０は、図２に図示された第一無線記憶装置１００５の表面に配置されたコード１１２０を撮影可能である。
【００９７】
撮影部１１１０は、例えばカメラである。より具体的には、撮影部１１１０は、固体撮影素子、例えば、ＣＣＤ（Charge Coupled Device）センサ、ＣＭＯＳ（Complementary Metal Oxide Semiconductor）センサを用いたカメラである。
【００９８】
スピーカー１１１５は、制御部１０８５から入力された音データを再生する。
【００９９】
図６は、基地局１５３０を模式的に示したブロック図である。  
基地局１５３０は、ＮＦＣ送受信部１６１０、表示部（ディスプレイ）１６２０、スピーカー１６３０、入力部１６４０、記憶部１６５０、通信部１６６０、制御部１６７０を含む。
【０１００】
ＮＦＣ送受信部１６１０は、制御部１６７０の指示にしたがって、基地局１５３０の外部とＮＦＣ通信する。例えば、ＮＦＣ送受信部１６１０は、第一無線記憶装置１００５とＮＦＣ通信する。
【０１０１】
表示部１６２０は、例えば、液晶ディスプレイ、有機ＥＬディスプレイ等、任意のディスプレイである。表示部１６２０は、例えばＮＦＣ通信中にＮＦＣ通信中である旨を表示し、通信が完了したときに通信が完了した旨を表示する。
【０１０２】
スピーカー１６３０は、制御部１６７０の指示にしたがって、音を鳴らす。
【０１０３】
入力部１６４０は、例えば、キーボードやボタンである。または、表示部１６２０がディスプレイであり、タッチパネルを兼ねている場合は、タッチパネルが入力部１６４０となる。
【０１０４】
記憶部１６５０は、例えば、ＨＤＤ、ＳＳＤ、フラッシュメモリ等任意の記憶素子である。記憶部１６５０は、例えば、外部に送信するデータを保持する。このデータとしては、例えばキャラクターの音声データ、動画データ等が挙げられる。
【０１０５】
通信部１６６０は、制御部１６７０の指示にしたがって、有線又は無線の通信を介して、例えば、基地局１５３０の外部のサーバー１５３５と通信する。通信部１６６０は、外部のサーバー１５３５から、記憶部１６５０へ保存するデータを取得する。
【０１０６】
制御部１６７０は、ＮＦＣ送受信部１６１０、表示部１６２０、スピーカー１６３０、入力部１６４０、記憶部１６５０、通信部１６６０を制御する。
【０１０７】
図７は、第一アクセサリー１５２０の一例を模式的に示した表面・裏面を示す模式的な平面図である。  
第一アクセサリー１５２０は、例えば、キャラクターが描かれたカードである。
【０１０８】
図７（ａ）に示されるように、第一アクセサリー１５２０には、例えば１つのキャラクターが描かれている。なお、この場合に限定されることなく、１枚の第一アクセサリー１５２０に複数のキャラクターが描かれていてもよい。
【０１０９】
図７（ｂ）に示されるように、第一アクセサリー１５２０は、コード１７１０をその裏面に有する。コード１７１０は、第一通信機器１０１５に設けられたコード認識部１３２０を用いて検知が可能である。  
コード１７１０は、コード１１２０と同様のコードを用いることができる。
【０１１０】
１枚の第一アクセサリー１５２０は、描かれたキャラクターに関する情報が記憶される。第一アクセサリー１５２０は、この情報を例えばコード１７１０に記憶する。  
この場合に限定されず、例えば第一アクセサリー１５２０がＮＦＣチップ又はＮＦＣタグを含み、かかる情報がＮＦＣチップ又はＮＦＣタグに記憶されていてもよい。この場合は、裏面のコード１７１０は設けなくともよい。また、ＮＦＣチップ、ＮＦＣタグの場合は、後からデータの変更が可能であり、例えば、遊具システム上でのキャラクターのアップグレード等が容易に行える利点がある。
【０１１１】
また、第一アクセサリー１５２０は、カードに限られない。第一アクセサリー１５２０は、キーホルダー、ストラップ、メダルであってもよい。
【０１１２】
（第一無線記憶装置の動作方法）  
以下、図８〜図２１を用いて、本実施形態に係る第一無線記憶装置１００５の動作例について説明する。なお、説明の便宜のため、第一無線記憶装置１００５と、接続端子１０６５を介して通信する機器を第一ホスト（第一通信機器）１８００、第一無線アンテナを介して通信する機器を第二ホスト１８５０とする。図２における第二無線記憶装置１５１０、第三通信機器１０１９、基地局１５３０のいずれかを総称して第二ホスト１８５０とするまた、各動作例に共通の事柄については、前の動作例で説明した内容については、後の動作例では特に断らずに記載を省略する。
【０１１３】
（第一の動作例）  
図８は、第一の動作例におけるデータの流れを模式的に示した図である。また、図９は、第一の動作例をフローチャートとして説明した図である。
【０１１４】
第一の動作例は、第一ホスト１８００から不揮発性半導体メモリ１０２５へ保存されたデータを第一記憶部１０４０へ保存し、第二ホスト１８５０が第一記憶部１０４０からデータを読み出す動作である。
【０１１５】
ステップＳ８１０１において、第一コントローラ１０３３は、第一ホスト１８００から、接続端子１０６５を介して、書き込みコマンドＣＭＤ，アドレスＡＤＤ，データＤＡＴを受信する。
【０１１６】
ステップＳ８１０２において、第一コントローラ１０３３は、メモリコントローラ１０３５へ書き込みコマンドＣＭＤ、アドレスＡＤＤ，データＤＡＴを出力する。なお、前述のとおり、ステップＳ８１０１とステップＳ８１０２の書き込みコマンドＣＭＤは形式的に一致している必要はない。アドレスＡＤＤ、データＤＡＴも同様である。なお、以下の説明においても特に記載がない限りは同様である。
【０１１７】
ステップＳ８１０３において、メモリコントローラ１０３５は、受信したコマンドＣＭＤ等に基づいて、不揮発性半導体メモリ１０２５へ書き込む。
【０１１８】
ステップＳ８１０４において、第一コントローラ１０３３は、メモリコントローラ１０３５へ読み出しコマンドＣＭＤ，アドレスＡＤＤを出力する。
【０１１９】
ステップＳ８１０５において、メモリコントローラ１０３５は、読み出しコマンドＣＭＤ等に基づいて、不揮発性半導体メモリ１０２５からデータＤＡＴを読み出し、第一コントローラへ出力する。
【０１２０】
ステップＳ８１０６において、第一コントローラ１０３３は受信したデータＤＡＴ、書き込みコマンドＣＭＤ、アドレスＡＤＤを第一ＮＦＣコントローラ１０３０へ出力する。
【０１２１】
ステップＳ８１０７において、第一ＮＦＣコントローラ１０３０は、受信した書き込みコマンドＣＭＤ等に基づいて、第一記憶部１０４０へデータＤＡＴを書き込む。
【０１２２】
ステップＳ８１０８において、第一ＮＦＣコントローラ１０３０は、第二ホスト１８５０から、第一無線アンテナ１０２０を介して、読み出しコマンドＣＭＤ，アドレスＡＤＤを受信する。
【０１２３】
ステップＳ８１０９において、第一ＮＦＣコントローラ１０３０は、受信した読み出しコマンドＣＭＤ等に基づいて、第一記憶部１０４０から、データＤＡＴを読み出す。第一ＮＦＣコントローラ１０３０は、第一無線アンテナ１０２０を介して、第二ホスト１８５０へデータＤＡＴを出力する。
【０１２４】
なお、上述の手順は必ずしも連続して行わなくともよく、各ステップ間が時間的に離れていてもよい。
【０１２５】
（第一の動作例の変形例）  
以下、第一の動作例の変形例を説明する。  
第一無線記憶装置１００５は、上記の動作例のステップＳ８１０７〜ステップＳ８１０９において、第二ホスト１８５０からの第一無線アンテナ１０２０を介した電力の供給のみでも、動作が可能である。
【０１２６】
ステップＳ８１０３の後に、第二ホスト１８５０からのコマンド等の入力があった後に、ステップＳ８１０４以降を処理するとしてもよい。この場合、第二ホスト１８５０が必要なデータのみを不揮発性半導体メモリ１０２５から第一記憶部１０４０へ移動させることができる。なお、この場合は、ステップＳ８１０８は省略してもよい。
【０１２７】
（第一記憶部へ記憶させるデータについて）  
本動作例において、ステップＳ８１０６及びステップＳ８１０７で書き込むデータＤＡＴ（ここでは便宜上、ＤＡＴ２と呼ぶ）は、必ずしもステップＳ８１０３で書き込んだデータＤＡＴ（ここでは、便宜上ＤＡＴ１と呼ぶ）と一致する必要はない。つまり、不揮発性半導体メモリ１０２５に保存されるデータと、第一記憶部１０４０に保存されるデータは一致する必要はない。これは、以降の動作例でも同様である。
【０１２８】
例えば、ＤＡＴ２は、ＤＡＴ１の一部であってもよい。また、ＤＡＴ２は、ＤＡＴ１のデータを処理したデータであってもよい。例えば、ＤＡＴ１が画像データの場合は、ＤＡＴ２はＤＡＴ１を圧縮した画像データであってもよい、ＤＡＴ２が音データの場合は、ＤＡＴ２はより圧縮された音であってもよいし、冒頭部分の音データであってもよい。
【０１２９】
また、ＤＡＴ２は、ＤＡＴ１と必ずしも直接関係しないデータであってもよい。例えば、ＤＡＴ１が第一アクセサリー１５２０の認識ＩＤだった場合、ＤＡＴ２は、その第一アクセサリー１５２０の種類の情報だけでも良い。より、具体的には、第一アクセサリー１５２０が「炎の剣」のキーホルダーだった場合は、ＤＡＴ１はこのキーホルダーに対応した、個別の製造ＩＤであり、ＤＡＴ２は、「炎の剣」に対応したフラグ情報（炎の剣を所有している、という情報）であってもよい。
【０１３０】
また、別の例を説明すると、第一アクセサリー１５２０がモンスターのカードであり、ＤＡＴ１は、例えばモンスターに対応した音データやカードの認識ＩＤであった場合、ＤＡＴ２は、そのモンスターに対応するフラグ情報（そのモンスターのカードを所有している、という情報）であってもよい。
【０１３１】
また、別の例を説明すると、ＤＡＴ１がＧＰＳに対応した地球上の位置情報であった場合、ＤＡＴ２は、そのＧＰＳに対応した場所（例えば、ゲーム上の通過ポイント）を通過した、というフラグ情報であってもよい。
【０１３２】
このように、不揮発性半導体メモリ１０２５へ保存されるデータと、第一記憶部１０４０へ保存されるデータは必ずしも一致しない。第一記憶部１０４０へ保存されるデータを抽出する方法について、具体的な例として、３つの方法を説明する。
【０１３３】
まず、第一の方法として、第一ホスト１８００が、第一コントローラ１０３３へ特別コマンドＣＭＤ，アドレスＡＤＤ、データＤＡＴ等を出力する方法である。この方法では、アドレスＡＤＤ及びデータＤＡＴによって、どのデータが第一記憶部１０４０へ転送されるか指定される。
【０１３４】
第一コントローラ１０３３は、メモリコントローラ１０３５を用いて、不揮発性半導体メモリ１０２５から指定されたデータを読み出す。さらに、第一コントローラ１０３３は、第一ＮＦＣコントローラ１０３０へ読み出したデータを出力し、第一ＮＦＣコントローラを用いて、第一記憶部１０４０へデータを書き込む。この方法は、ユーザの意図通りにデータを転送することが可能である。
【０１３５】
次に、第二の方法として、不揮発性半導体メモリ１０２５内に設定ファイルを予め保存させておく方法である。この方法の場合、不揮発性半導体メモリ１０２５が駆動可能になった時（例えば、第一無線記憶装置１００５が第一ホスト１８００から電力の供給を受けた時）に、第一コントローラ１０３３がメモリコントローラ１０３５を用いて、設定ファイルを読み出す。そして、第一コントローラ１０３３が、読み出した設定ファイルに基づいて、第一記憶部１０４０へデータを送信する。
【０１３６】
設定ファイルには、例えば、ファイル名（例：頭文字が特定の文字から始まる）、拡張子（例：特定の拡張子）、日付順（例：新しいほうから１０個）、フラグ情報のみ、等の各種の条件が一つ又は複数設定される。そして、第一コントローラ１０３３は、その条件に合うデータを、第一ＮＦＣコントローラ１０３０を用いて、第一記憶部１０４０へ書き込む。なお、第一コントローラ１０３３は、第一記憶部１０４０に対して、変更部分のみを書き込みしてもよいし、毎回全部を書き直してもよい。  
なお、不揮発性半導体メモリ１０２５からデータを読み出して、第一記憶部１０４０へデータを保存する方法については、第一の方法と同様であるため、説明を省略する。
【０１３７】
さらに、第三の方法として、第一記憶部１０４０へ設定ファイルを保存してもよい。この場合は、第二ホスト１８５０のみから電力の供給を受けている状態でも、設定ファイルを書き込むことができる。
【０１３８】
第一ホスト１８００から電力の供給を受けた際に、第一コントローラ１０３３は、第一記憶部１０４０から設定ファイルを読み出す。この際に、第一コントローラ１０３３は、設定ファイルを不揮発性半導体メモリ１０２５へ保存してもよい。  
以降の流れは、第二の方法と同様であるため、記載を省略する。
【０１３９】
上記のように、第一記憶部１０４０へ保存されるデータを抽出する方法は種々の方法を用いることができる。なお、もちろんであるが、上述の３つの方法は、抽出方法をこれらの方法に限定する趣旨ではない。
【０１４０】
（第二の動作例）  
図１０は、第二の動作例におけるデータの流れを模式的に示した図である。また、図１１は、第二の動作例をフローチャートとして説明した図である。
【０１４１】
第二の動作例は、第二ホスト１８５０から第一記憶部１０４０へ保存されたデータを不揮発性半導体メモリ１０２５へ保存し、第一ホスト１８００が不揮発性半導体メモリ１０２５からデータを読み出す動作である。
【０１４２】
ステップＳ８２０１において、第一ＮＦＣコントローラ１０３０は、第二ホスト１８５０から、第一無線アンテナ１０２０を介して、書き込みコマンドＣＭＤ，アドレスＡＤＤ，データＤＡＴを受信する。
【０１４３】
ステップＳ８２０２において、第一ＮＦＣコントローラ１０３０は、第一記憶部１０４０へデータを書き込む。
【０１４４】
ステップＳ８２０３において、第一コントローラ１０３３は、第一ＮＦＣコントローラ１０３０へ読み出しコマンドＣＭＤ，アドレスＡＤＤを出力する。
【０１４５】
ステップＳ８２０４において、第一ＮＦＣコントローラ１０３０は、読み出しコマンドＣＭＤ等に基づいて、第一記憶部１０４０からデータＤＡＴを読み出す。第一ＮＦＣコントローラ１０３０は、第一コントローラへデータＤＡＴを出力する。
【０１４６】
ステップＳ８２０５において、第一コントローラ１０３３は、読み出したデータＤＡＴ、書き込みコマンドＣＭＤ，アドレスＡＤＤをメモリコントローラ１０３５へ出力する。
【０１４７】
ステップＳ８２０６において、メモリコントローラ１０３５は、書き込みコマンドＣＭＤに基づいて、不揮発性半導体メモリ１０２５へデータを書き込む。
【０１４８】
ステップＳ８２０７において、第一コントローラ１０３３は、第一ホスト１８００から、接続端子１０６５を介して、読み出しコマンドＣＭＤ，アドレスＡＤＤを受信する。
【０１４９】
ステップＳ８２０８において、第一コントローラ１０３３は、メモリコントローラ１０３５へ読み出しコマンドＣＭＤ，アドレスＡＤＤを出力する。
【０１５０】
ステップＳ８２０９において、メモリコントローラ１０３５は、読み出しコマンドＣＭＤ等に基づいて、不揮発性半導体メモリ１０２５からデータを読み出す。メモリコントローラ１０３５は、第一コントローラ１０３３へデータを出力する。
【０１５１】
ステップＳ８２１０において、第一コントローラ１０３３は、接続端子を介して、第一ホスト１８００へデータを出力する。
【０１５２】
なお、上述の手順は必ずしも連続して行わなくともよく、各ステップ間が時間的に離れていてもよい。
【０１５３】
（第二の動作例の変形例）  
以下、第二の動作例の変形例を説明する。
【０１５４】
第一無線記憶装置１００５は、上記の動作例のステップＳ８２０１〜ステップＳ８２０２において、第二ホスト１８５０からの第一無線アンテナ１０２０を介した電力の供給のみでも、動作が可能である。
【０１５５】
ステップＳ８２０２の後に、第一ホスト１８００からのコマンド等の入力があった後に、ステップＳ８２０３以降を処理するとしてもよい。この場合、第一ホスト１８００が必要なデータのみを第一記憶部１０４０から不揮発性半導体メモリ１０２５へ移動させることができる。なお、この場合は、ステップＳ８２０７は省略してもよい。
【０１５６】
また、ステップＳ８２０２の後に、第一ホストからの電力の供給があった後に、ステップＳ８２０３以降を処理するとしてもよい。
【０１５７】
また、ステップＳ８２０９において、メモリコントローラ１０３５は、直接第一ホスト１８００へ出力するとしてもよい。つまり、メモリコントローラ１０３５は、接続端子１０６５を介して、第一ホスト１８００へ直接出力してもよい。
【０１５８】
（第三の動作例）  
図１２は、第三の動作例におけるデータの流れを模式的に示した図である。また、図１３は、第三の動作例をフローチャートとして説明した図である。
【０１５９】
第三の動作例は、第一ホスト１８００から第一記憶部１０４０へデータを保存し、第二ホスト１８５０が第一記憶部１０４０からデータを読み出す動作である。
【０１６０】
ステップＳ８３０１において、第一コントローラ１０３３は、第一ホスト１８００から、接続端子１０６５を介して、書き込みコマンドＣＭＤ，アドレスＡＤＤ，データＤＡＴを受信する。
【０１６１】
ステップＳ８３０２において、第一コントローラ１０３３は、第一ＮＦＣコントローラ１０３０へ、書き込みコマンドＣＭＤ，アドレスＡＤＤ，データＤＡＴを出力する。
【０１６２】
ステップＳ８３０３において、第一ＮＦＣコントローラ１０３０は、書き込みコマンド等に基づいて、第一記憶部１０４０へデータＤＡＴを書き込む。
【０１６３】
ステップＳ８３０４において、第一ＮＦＣコントローラ１０３０は、第二ホスト１８５０から、第一無線アンテナ１０２０を介して、読み出しコマンドＣＭＤ，アドレスＡＤＤを受信する。
【０１６４】
ステップＳ８３０５において、第一ＮＦＣコントローラ１０３０は、第一記憶部１０４０からデータＤＡＴを読み出して、第二ホスト２８５０へデータを出力する。
【０１６５】
なお、上述の手順は必ずしも連続して行わなくともよく、各ステップ間が時間的に離れていてもよい。
【０１６６】
（第三の動作例の変形例）  
以下、第三の動作例の変形例を説明する。  
第一無線記憶装置１００５は、上記の動作例のステップＳ８３０３〜ステップＳ８３０５において、第二ホスト１８５０からの第一無線アンテナ１０２０を介した電力の供給のみでも、動作が可能である。
【０１６７】
（第四の動作例）  
図１４は、第四の動作例におけるデータの流れを模式的に示した図である。また、図１５は、第四の動作例をフローチャートとして説明した図である。
【０１６８】
第四の動作例は、第二ホスト１８５０から第一記憶部１０４０へデータを保存し、第一ホスト１８００が第一記憶部１０４０からデータを読み出す動作である。
【０１６９】
ステップＳ８４０１において、第一ＮＦＣコントローラ１０３０は、第二ホスト１８５０から、第一無線アンテナ１０２０を介して、書き込みコマンドＣＭＤ，アドレスＡＤＤ，データＤＡＴを受信する。
【０１７０】
ステップＳ８４０２において、第一ＮＦＣコントローラ１０３０は、第一記憶部１０４０へデータを書き込む。
【０１７１】
ステップＳ８４０３において、第一コントローラ１０３３は、第一ホスト１８００から、接続端子１０６５を介して、読み出しコマンドＣＭＤ，アドレスＡＤＤを受信する。
【０１７２】
ステップＳ８４０４において、第一コントローラ１０３３は、第一ＮＦＣコントローラ１０３０へ読み出しコマンドＣＭＤ，アドレスＡＤＤを出力する。
【０１７３】
ステップＳ８４０５において、第一ＮＦＣコントローラ１０３０は、読み出しコマンドＣＭＤ等に基づいて、第一記憶部１０４０からデータを読み出す。第一ＮＦＣコントローラ１０３０は、第一コントローラ１０３３へデータを出力する。
【０１７４】
ステップＳ８４０６において、第一コントローラ１０３３は、接続端子を介して、第一ホスト１８００へデータを出力する。
【０１７５】
なお、上述の手順は必ずしも連続して行わなくともよく、各ステップ間が時間的に離れていてもよい。
【０１７６】
（第四の動作例の変形例）  
以下、第四の動作例の変形例を説明する。  
第一無線記憶装置１００５は、上記の動作例のステップＳ８３０３〜ステップＳ８３０５において、第二ホスト１８５０からの第一無線アンテナ１０２０を介した電力の供給のみでも、動作が可能である。
【０１７７】
（第五の動作例）  
図１６は、第五の動作例におけるデータの流れを模式的に示した図である。また、図１７は、第五の動作例をフローチャートとして説明した図である。
【０１７８】
第五の動作例は、第一ホスト１８００から不揮発性半導体メモリ１０２５へ保存されたデータを、第一記憶部１０４０へ保存することなく、第二ホスト１８５０へ出力する動作である。
【０１７９】
ステップＳ８５０１において、第一コントローラ１０３３は、第一ホスト１８００から、接続端子１０６５を介して、書き込みコマンドＣＭＤ，アドレスＡＤＤ，データＤＡＴを受信する。
【０１８０】
ステップＳ８５０２において、第一コントローラ１０３３は、メモリコントローラ１０３５へ書き込みコマンドＣＭＤ、アドレスＡＤＤ，データＤＡＴを出力する。
ステップＳ８５０３において、メモリコントローラ１０３５は、受信したコマンドＣＭＤ等に基づいて、不揮発性半導体メモリ１０２５へ書き込む。
【０１８１】
ステップＳ８５０４において、第一ＮＦＣコントローラ１０３０は、第二ホスト１８５０から、第一無線アンテナ１０２０を介して、スルー読み出しコマンドＣＭＤ、アドレスＡＤＤを受信する。ここで、スルー読み出しコマンドＣＭＤは、第一記憶部１０４０にデータを保存させずに、不揮発性半導体メモリ１０２５のデータを第二ホスト１８５０へ出力させる特別なコマンドである。
【０１８２】
ステップＳ８５０５において、第一ＮＦＣコントローラ１０３０は、第一コントローラ１０３３へスルー読み出しコマンドＣＭＤ，アドレスＡＤＤを出力する。
【０１８３】
ステップＳ８５０６において、第一コントローラ１０３３は、アドレスＡＤＤ等に基づいて、メモリコントローラ１０３５へ読み出しコマンドＣＭＤ、アドレスＡＤＤを出力する。なお、ここでの読み出しコマンドＣＭＤは、特別なコマンドである必要はなく、上述の動作例と同様の読み出しコマンドでも構わない。
【０１８４】
ステップＳ８５０７において、メモリコントローラ１０３５は、読み出しコマンドＣＭＤ等に基づいて、不揮発性半導体メモリ１０２５からデータＤＡＴを読み出し、第一コントローラへ出力する。
【０１８５】
ステップＳ８５０８において、第一コントローラ１０３３は受信したデータＤＡＴ、を第一ＮＦＣコントローラ１０３０及び第一無線アンテナ１０２０を介して第二ホスト１８５０へ出力する。なお、第一コントローラ１０３３は、第一ＮＦＣコントローラ１０３０を介さずに、第一無線アンテナ１０２０を介して、第二ホスト１８５０へ出力してもよい。
【０１８６】
なお、上述の手順は必ずしも連続して行わなくともよく、各ステップ間が時間的に離れていてもよい。
【０１８７】
（第六の動作例）  
図１８は、第六の動作例におけるデータの流れを模式的に示した図である。また、図１９は、第六の動作例をフローチャートとして説明した図である。
【０１８８】
第六の動作例は、第二ホスト１８５０から第一記憶部１０４０へ保存することなく、不揮発性半導体メモリ１０２５へデータを保存し、第一ホスト１８００が不揮発性半導体メモリ１０２５からデータを読み出す動作である。
【０１８９】
ステップＳ８６０１において、第一ＮＦＣコントローラ１０３０は、第二ホスト１８５０から、第一無線アンテナ１０２０を介して、スルー書き込みコマンドＣＭＤ，アドレスＡＤＤ，データＤＡＴを受信する。ここで、スルー書き込みコマンドＣＭＤは、第二ホスト１８５０からのデータを、第一記憶部１０４０に保存させずに、不揮発性半導体メモリ１０２５へ保存させる特別なコマンドである。
【０１９０】
ステップＳ８６０２において、第一ＮＦＣコントローラ１０３０は、第一コントローラ１０３３へ、スルー書き込みコマンドＣＭＤ，アドレスＡＤＤ，データＤＡＴを出力する。
【０１９１】
ステップＳ８６０３において、第一コントローラ１０３３は、メモリコントローラ１０３５へ、書き込みコマンドＣＭＤ，アドレスＡＤＤ，データＤＡＴを出力する。なお、ここでの書き込みコマンドＣＭＤは、特別なコマンドである必要はなく、上述の動作例と同様の書き込みコマンドでも構わない。
【０１９２】
ステップＳ８６０４において、メモリコントローラ１０３５は、書き込みコマンドＣＭＤ等に基づいて、不揮発性半導体メモリ１０２５へデータを書き込む。
【０１９３】
ステップＳ８６０５において、第一コントローラ１０３３は、第一ホスト１８００から、接続端子１０６５を介して、読み出しコマンドＣＭＤ，アドレスＡＤＤを受信する。
【０１９４】
ステップＳ８６０６において、第一コントローラ１０３３は、メモリコントローラ１０３５へ読み出しコマンドＣＭＤ，アドレスＡＤＤを出力する。
【０１９５】
ステップＳ８６０７において、メモリコントローラ１０３５は、読み出しコマンドＣＭＤ等に基づいて、不揮発性半導体メモリ１０２５からデータを読み出す。メモリコントローラ１０３５は、第一コントローラ１０３３へデータを出力する。
【０１９６】
ステップＳ８６０８において、第一コントローラ１０３３は、接続端子を介して、第一ホスト１８００へデータを出力する。
【０１９７】
なお、上述の手順は必ずしも連続して行わなくともよく、各ステップ間が時間的に離れていてもよい。
【０１９８】
（第六の動作例の変形例）  
以下、第六の動作例の変形例を説明する。  
ステップＳ８６０７において、メモリコントローラ１０３５は、直接第一ホスト１８００へ出力するとしてもよい。つまり、メモリコントローラ１０３５は、接続端子１０６５を介して、第一ホスト１８００へ直接出力してもよい。
【０１９９】
（第七の動作例）  
図２０は、第七の動作例におけるデータの流れを模式的に示した図である。  
第七の動作例は、第一ホスト１８００と第二ホスト１８５０とが、第一無線記憶装置１００５を介して通信する動作である。
【０２００】
第一ホスト１８００は、接続端子１０６５を介して第一無線記憶装置１００５と通信可能である。また、第二ホスト１８５０は、第一無線アンテナ１０２０を介して第一無線記憶装置１００５と通信可能である。また、接続端子１０６５と第一無線アンテナ１０２０との間は、第一コントローラ１０３３や第一ＮＦＣコントローラ１０３０と通信は可能である。
【０２０１】
すなわち、第一ホスト１８００は、第一無線記憶装置１００５を介して第二ホスト１８５０と通信可能である。なお、第一無線記憶装置１００５は完全にそのままスルーしてもよいし、コマンドＣＭＤ，アドレスＡＤＤ，データＤＡＴ等の一部を変換してもよい。
【０２０２】
第七の動作例を用いることで、第一通信機器１０１５は、第一無線記憶装置１００５を介して、ＮＦＣ通信により、基地局１５３０と通信をすることができる。すなわち、第一通信機器１０１５自体はＮＦＣ通信機能を有していないにも拘わらず、第七の動作例を用いることで、第一通信機器１０１５は基地局１５３０とＮＦＣ通信をすることができる。
【０２０３】
図２１〜図２７は、それぞれ第一の動作例〜第七の動作例のコマンドやデータの時系列を模式的に示したタイミングチャートである。各タイミングチャートに示された丸数字は、便宜的に次のような意味を有するものとする。すなわち、Ｘ−Ｙの上位の数字Ｘについては、Ｘ＝１の場合には、第一ホスト１８００と第一コントローラ１０３３との間でコマンドＣＭＤを送受信することを示す。Ｘ＝２の場合には、第一コントローラ１０３３と不揮発性半導体メモリ１０２５との間でコマンドＣＭＤを送受信することを示す。Ｘ＝３の場合には第一コントローラ１０３３と第一記憶部１０４０との間でコマンドＣＭＤを送受信することを示す。Ｘ＝４の場合には、第一記憶部１０４０と第二ホスト１８５０との間でコマンドＣＭＤを送受信することを示す。Ｘ＝５の場合には、第一ホスト１８００と第一記憶部１０４０との間でコマンドＣＭＤを送受信することを示す。Ｘ＝６の場合には、不揮発性半導体メモリ１０２５と第二ホスト１８５０との間でコマンドＣＭＤを送受信することを示す。Ｘ＝７の場合には、第二ホスト１８５０と第一コントローラ１０３３との間でコマンドＣＭＤを送受信することを示す。Ｘ＝８の場合には、第一コントローラ１０３３と第一ホスト１８００との間でコマンドＣＭＤを送受信することを示す。下位の数字Ｙについては、Ｙ＝１の場合には、そのコマンドＣＭＤが書き込みコマンド（Ｗｒｉｔｅ）であることを示す。Ｙ＝２の場合には、そのコマンドＣＭＤが読み出しコマンド（Ｒｅａｄ）であるとを示す。例えば、「１−１」のように記載されている場合には、そのコマンドＣＭＤは、第一ホスト１８００と第一コントローラ１０３３との間で書き込みを実行することを示している。
【０２０４】
図２１に示すように、第一の動作例においては、まず、第一ホスト１８００が書き込みコマンドＣＭＤを出力した（１−１）後、データＤＡＴＡを第一コントローラ１０３３に送信する。第一コントローラ１０３３は、メモリコントローラ１０３５を介して、コマンドＣＭＤを解釈して不揮発性半導体メモリ１０２５にデータＤＡＴＡを書き込む（２−１）。その後、第一コントローラ１０３３は、メモリコントローラ１０３５を介して、書き込まれたデータＤＡＴＡを出力する（２−２）。第一コントローラ１０３３は、第一ＮＦＣコントローラ１０３０を介して、データＤＡＴＡを第一記憶部１０４０に書き込む（３−１）。第二ホスト１８５０は、読み出しコマンドＣＭＤを第一ＮＦＣコントローラ１０３０に送信し（４−２）、第一ＮＦＣコントローラ１０３０によって、第一記憶部１０４０からデータＤＡＴＡを読み出す。
【０２０５】
図２２に示すように、第二の動作例においては、第二ホスト１８５０が書き込みコマンドＣＭＤを第一記憶部１０４０に出力した後（４−１）、データＤＡＴＡを第一コントローラ１０３３に送信する（３−２）。第一ＮＦＣコントローラ１０３０は、第一記憶部１０４０にデータＤＡＴＡを書き込む。第一ＮＦＣコントローラ１０３０は、書き込まれたデータＤＡＴＡを第一コントローラ１０３３に出力する。第一コントローラ１０３３は、メモリコントローラ１０３５を介してデータＤＡＴＡを、不揮発性半導体メモリ１０２５に書き込む（２−１）。続いて、第一ホスト１８００は、読み出しコマンドＣＭＤを第一コントローラ１０３３に送信し（１−２）、読み出しコマンドＣＭＤを受信した第一コントローラ１０３３は、メモリコントローラ１０３５を介してデータＤＡＴＡを不揮発性半導体メモリ１０２５から読み出す（２−２）。第一コントローラ１０３３は、読み出されたデータＤＡＴＡを、第一ホスト１８００に送信する。
【０２０６】
図２３に示すように、第三の動作例においては、第一ホスト１８００が書き込みコマンドＣＭＤを第一記憶部１０４０に出力した（５−１）後、データＤＡＴＡを第一コントローラ１０３３に送信する。データＤＡＴＡを受信した第一コントローラ１０３３は、第一ＮＦＣコントローラ１０３０を介して、第一記憶部１０４０にデータＤＡＴＡを書き込む（３−１）。第二ホスト１８５０は、読み出しコマンドＣＭＤを第一ＮＦＣコントローラ１０３０に送信し、第一ＮＦＣコントローラ１０３０によって、第一記憶部１０４０からデータＤＡＴＡを読み出す（４−２）。
【０２０７】
図２４に示すように、第四の動作例においては、第二ホスト１８５０が書き込みコマンドＣＭＤを出力した（４−１）後、データＤＡＴＡを第一コントローラ１０３３に送信する。第一ＮＦＣコントローラ１０３０によって、第一記憶部１０４０にデータＤＡＴＡが書き込まれる。第一ホスト１８００は、読み出しコマンドＣＭＤを第一記憶部１０４０に送信し（５−２）、第一コントローラ１０３３は、第一ＮＦＣコントローラ１０３０を介して、第一記憶部１０４０からデータＤＡＴＡを読み出す（３−２）。読み出されたデータＤＡＴＡは、第一コントローラ１０３３によって第一ホスト１８００に送信される。
【０２０８】
図２５に示すように、第五の動作例においては、第一ホスト１８００が書き込みコマンドＣＭＤを第一コントローラ１０３３に出力する（１−１）。このときのコマンドは、第一記憶部１０４０への書き込みをスルーするスルー書き込みコマンドである。データＤＡＴＡを受信した第一コントローラ１０３３は、メモリコントローラ１０３５を介して、不揮発性半導体メモリ１０２５にデータＤＡＴＡを書き込む（２−１）。第二ホスト１８５０は、読み出しコマンドＣＭＤを不揮発性半導体メモリ１０２５に送信する（６−２）。このときの読み出しコマンドは、第一記憶部１０４０からの読み出しをスルーするスルー読み出しコマンドである。第一コントローラ１０３３は、スルー読み出しコマンドによって、不揮発性半導体メモリ１０２５からデータＤＡＴＡを読み出す（２−２）。
【０２０９】
図２６に示すように、第六の動作例においては、第二ホスト１８５０は、書き込みコマンドを不揮発性半導体メモリ１０２５に送信し、データＤＡＴＡを送信する（６−１）。第一コントローラ１０３３は、送信されてきたデータＤＡＴＡを、メモリコントローラ１０３５を介して不揮発性半導体メモリ１０２５に書き込む（２−１）。第一ホスト１８００が第一コントローラ１０３３に読み出しコマンドを送信する（１−２）と、第一コントローラ１０３３は、メモリコントローラ１０３５を介して、不揮発性半導体メモリ１０２５からデータＤＡＴＡを読み出す（２−２）。
【０２１０】
図２７に示すように、第七の動作例においては、第二ホスト１８５０が書き込みコマンドまたは読み出しコマンドを送信し（７−１または７−２）、続いてデータＤＡＴＡを送信する。第一コントローラ１０３３は、送信されてきたデータＤＡＴＡを、書き込みコマンドまたは読み出しコマンドいずれかのコマンドに基づいて、データＤＡＴＡを第一ホスト１８００に送信する（８−１または８−２）。なお、このときの第一コントローラ１０３３のコマンドは、書き込みコマンド、読み出しコマンドのいずれでもよく、ユーザが任意に設定するコマンドであってもよい。
【０２１１】
図２８は、第一無線記憶装置１００５の上述の動作例とその利点についてまとめた表である。各矢印はデータの流れを示しており、ハッチングされている領域は第一ホスト１８００側からの通電がある状態で動作可能な状態を示している。なお、不揮発性半導体メモリ１０２５及び第一記憶部１０４０は、データを保持するだけの場合は、第一ホスト側からの通電が無くとも保持が可能である。
【０２１２】
図２８の第一行目に示すように、第一の動作例では、第一ホスト１８００から第二ホスト１８５０へのデータの転送は、不揮発性半導体メモリ１０２５及び第一記憶部１０４０への書き込み及び読み出しを介して行われる。第一の動作例においては、第一記憶部１０４０から第二ホスト１８５０へのデータ送信は、ＮＦＣ通信によって行われるので、第一ホスト１８００から電力供給が行われなくても、第二ホスト１８５０は、第一記憶部１０４０からデータを取得することが可能である。
【０２１３】
図２８の第二行目に示すように、第二の動作例では、第二ホスト１８５０から第一ホスト１８００へのデータの転送は、第一記憶部１０４０及び不揮発性半導体メモリ１０２５への書き込み及び読み出しを介して行われる。第一の動作例と同様に、第一記憶部１０４０と第二ホスト１８５０との間のデータ転送は、ＮＦＣ通信によって行われるので、第一ホスト１８００からの電力供給なしでも実行することが可能である。
【０２１４】
図２８の第三行目及び第四行目に示すように、第三の動作例及び第四の動作例においても、第一記憶部１０４０と第二ホスト１８５０との間のデータ転送は、ＮＦＣ通信によって行われるので、第一ホストからの電力供給なしで実行される。
【０２１５】
図２８の第五行目及び第六行目に示すように、第五の動作例及び第六の動作例では、第一記憶部１０４０への書き込み及び読み出しを介さずに不揮発性半導体メモリ１０２５のデータを転送するので、大容量のデータ転送を行うことができる。
【０２１６】
図２８の第七行目に示すように、第七の動作例では、第一ホスト１８００と第二ホスト１８５０との間のデータ転送を直接的に行うことができるので、不揮発性半導体メモリ１０２５及び第一記憶部１０４０のデータ容量の制限を受けることなくデータ転送を行うことができる。
【０２１７】
（第一の実施形態の動作について）  
以下、本実施形態に係る遊戯システムの動作例について説明する。
【０２１８】
（ケース１）  
ケース１は、第一通信機器（玩具）１０１５と基地局１５３０との間のＮＦＣ通信に関する。ここで、ケース１では、第一通信機器（玩具）１０１５には、第一アクセサリー１５２０と第一無線記憶装置１００５が既に格納されているものとして説明する。また、第一通信機器（玩具）１０１５の記憶部には、第一通信機器（玩具）１０１５の認識ＩＤが保持されているものとする。
【０２１９】
ケース１について、図２９を用いて説明する。  
ケース１は、第一無線記憶装置１００５に保持されたデータを、基地局１５３０を経由して、更新する場合の、遊戯システムの動作方法である。
【０２２０】
ステップＳ３１０１では、基地局１５３０は、第一通信機器（玩具）１０１５の認識ＩＤ、第一無線記憶装置１００５の残容量に関するデータ、第一通信機器（玩具）１０１５に格納された第一アクセサリー１５２０に対応するコードデータを送信するよう送信指示を第一通信機器（玩具）１０１５に送信する。  
この送信指示は、第一無線記憶装置１００５の第一無線アンテナ１０２０を介して、制御部１３９０に入力される。
【０２２１】
ステップＳ３１０２では、制御部１３９０は、コード認識部１３２０に第一アクセサリー１５２０のコードを判定するよう指示する。かかる指示を受けて、コード認識部１３２０は、第一アクセサリー１５２０のコードデータを読み出し、制御部１３９０の記憶部に一時的に保存する（Ｓ３１０３）。
【０２２２】
ステップＳ３１０４で、制御部１３９０は、第一無線記憶装置１００５の不揮発性半導体メモリの残容量に関するデータを制御部１３９０に送信するよう送信指示を第一無線記憶装置１００５に送信する。第一無線記憶装置１００５の第一コントローラ１０３３は、メモリコントローラ１０３５を介して不揮発性半導体メモリの管理領域にアクセスする。この管理領域には、第一無線記憶装置１００５の認識ＩＤや第一無線記憶装置１００５の容量、残容量に関するデータが保持される。
【０２２３】
第一無線記憶装置１００５は、第一コントローラ１０３３に不揮発性半導体メモリの残容量に関するデータを制御部１３９０に送信して、制御部１３９０はこの残容量に関するデータを記憶部に一時的に保存する（Ｓ３１０５）。
【０２２４】
制御部１３９０は、第一通信機器（玩具）１０１５の認識ＩＤ、第一無線記憶装置１００５の残容量に関するデータ、第一通信機器（玩具）１０１５に格納された第一アクセサリー１５２０に対応するコードデータを、第一無線記憶装置１００５を経由して基地局１５３０に送信する。
【０２２５】
基地局１５３０の制御部１６７０は、第一通信機器（玩具）１０１５の認識ＩＤ、第一無線記憶装置１００５の残容量に関するデータ、第一通信機器（玩具）１０１５に格納された第一アクセサリー１５２０に対応するコードデータを受け取り、コードデータに対応する更新データを記憶部１６５０から抽出する。ここで、基地局１５３０の記憶部１６５０は、複数のコードデータと、それぞれに対応する更新データがテーブル形式で保持する。
【０２２６】
制御部１６７０は、抽出された更新データの容量を演算する。そして、制御部１６７０は、第一無線記憶装置１００５の残容量に関するデータから残容量を演算する。制御部１６７０は残容量と更新データの容量を比較する（ステップＳ３１０６）。
【０２２７】
第一無線記憶装置１００５の残容量が更新データの容量よりも大きい場合（ステップＳ３１０６、Ｙｅｓ）には、制御部１６７０は、ＮＦＣ送受信部１６１０を介して、更新データと更新データを書き込むアドレスを第一通信機器１０１５に送信する（ステップＳ３１０７）。
【０２２８】
他方で、第一無線記憶装置１００５の残容量が更新データの容量よりも小さい場合ステップＳ３１０６、Ｎｏ）には、制御部１６７０は、その旨を表示部１６２０に表示する（ステップＳ３１０８）。
【０２２９】
ステップＳ３１０９では、第一通信機器１０１５の第一無線記憶装置１００５は、更新データと更新データを書き込むアドレスを受け取り、制御部１３９０に一時的に保存する。
【０２３０】
制御部１３９０は、指定されたアドレスに更新データを書き込むよう、第一無線記憶装置１００５を制御する。その結果、第一無線記憶装置１００５はコードデータに対応する更新データを不揮発性半導体メモリに保存する。
【０２３１】
第一無線記憶装置１００５に更新データが書き込まれると、第一無線記憶装置１００５は、制御部１３９０に更新データの書き込み完了の通知が送付される。  
この通知を受けて、制御部１３９０は、ＮＦＣ通信で、基地局１５３０に更新データの書き込み完了の通知を送付する（ステップＳ３１１０）。
【０２３２】
そして、基地局１５３０の制御部１６７０は、更新データの書き込みが完了した旨をディスプレイ１６２０に表示する（ステップＳ３１１１）。
【０２３３】
（ケース１の変形例１）  
次に、ケース１の変形例１について、図３０を用いて説明する。  
ケース１では、ステップＳ３１０６では、制御部１６７０は残容量と更新データの容量を比較する。第一無線記憶装置１００５の残容量が更新データの容量よりも大きい場合（ステップＳ３１０６、Ｙｅｓ）には、制御部１６７０は、ＮＦＣ送受信部１６１０を介して、更新データと更新データを書き込むアドレスを第一通信機器１０１５に送信する（ステップＳ３１０７）。かかるステップＳ３１０６〜ステップＳ３１０８の代わりに、制御部１６７０がフラグ情報のデータを送信してもよい（ステップＳ３１０７'）。
【０２３４】
ここで、フラグ情報のデータは、例えばある基地局１５３０と通信した旨を示す。スタンプラリーのスタンプの代わりとしてフラグ情報のデータを用いることができる。
【０２３５】
（ケース１の変形例２）  
変形例２では、制御部１６７０がフラグ情報のデータを送信しているが、このフラグ情報のデータが不揮発性半導体メモリ１０２５のある領域にアクセスするための鍵データであってもよい。  
以下、具体的に説明する。
【０２３６】
第一無線記憶装置１００５の不揮発性半導体メモリに特定のデータが保存されている。この特定のデータは暗号化されている。第一通信機器１０１５の第一無線記憶装置１００５は、復号化するための鍵データを基地局１５３０から受けて特定のデータを復号する。特定のデータを復号すると、ユーザは特定のデータにアクセスすることができる。
【０２３７】
本ケースでは、特定データを復号化する場合を用いて説明するが、この場合に限定されず、第一通信機器１０１５と基地局１５３０がＮＦＣ通信をしたのちに、第一無線記憶装置１００５の不揮発性半導体メモリ１０２５の一部の領域をユーザが使用できるようにすればどのような態様であってもよい。例えば第一無線記憶装置１００５は、不揮発性半導体メモリに一部の領域にアクセスできるか否かのフラグ情報を有する。第一通信機器１０１５と基地局１５３０がＮＦＣ通信によって、第一無線記憶装置１００５がこのフラグ情報を書き換えることで、ユーザは不揮発性半導体メモリの一部の領域にアクセスできてもよい。
【０２３８】
基地局１５３０の制御部１６７０は、ＮＦＣ送受信部１６１０を介して、鍵データを第一通信機器１０１５に送信する。第一無線記憶装置１００５の第一コントローラ１０３３は、第一ＮＦＣコントローラ１０３０を介して鍵データを受け取り、ＲＡＭ上に保持する。第一コントローラ１０３３は、特定のデータが保持されている領域のアドレスを指定して、メモリコントローラ１０３５を介してＲＡＭ上に特定のデータを読み出す。第一コントローラ１０３３は、鍵データに基づいて特定のデータを復号化する。
【０２３９】
第一コントローラ１０３３は、不揮発性半導体メモリ１０２５のもとのアドレスに復号化された特定のデータを転送し、保存する。
【０２４０】
第一コントローラ１０３３は、特定データの復号化が完了した旨の通知を基地局１５３０のＮＦＣ送受信部１６１０に行う。ＮＦＣ送受信部１６１０がかかる通知を受けると、制御部１６７０は表示部１６２０に完了の旨を表示する。
【０２４１】
本ケース２では、１つの基地局１５３０から１つの鍵を第一通信機器１０１５が受けて特定データを復号化する例を記載したが、かかる場合に限定されず、例えば複数の基地局１５３０から複数の鍵データを第一通信機器１０１５が受けて、第一無線記憶装置１００５は複数の鍵を用いて特定データを復号化してもよい。
【０２４２】
また、第一無線記憶装置１００５の不揮発性半導体メモリは、暗号化されたデータが保持される複数の領域があってもよい。この複数の領域を例えば領域１、領域２、領域３、・・・とする。この場合に、第一無線記憶装置１００５は、第一の基地局とＮＦＣ通信をして、第一の基地局から領域１のデータを復号化する鍵を受け取り、第一の基地局とは異なる第二の基地局とＮＦＣ通信をして、第二の基地局から領域２のデータを復号化する鍵を受け取っても良い。
【０２４３】
（ケース１の変形例３）  
ケース１では、基地局１５３０は更新データと更新データを書き込むアドレスを第一通信機器１０１５に送信しているが、この場合に限定されず、例えば第一無線記憶装置１００５のファームウェアとファームウェアを書き込むアドレスを更新データと更新データを書き込むアドレスの代わりに送信してもよい。
【０２４４】
（ケース２）  
ケース２は、第一通信機器（玩具）１０１５と基地局１５３０との間のＮＦＣ通信に関する。ここで、ケース２では、第一通信機器（玩具）１０１５には、第一アクセサリー１５２０と第一無線記憶装置１００５が既に格納されているものとして説明する。また、第一通信機器（玩具）１０１５の記憶部には、第一通信機器（玩具）１０１５の認識ＩＤが保持されているものとする。
【０２４５】
ケース２について、図３１を用いて説明する。  
まず、ステップＳ３２０１では、外部の指示によって、第一通信機器（玩具）１０１５の制御部１３９０は、コード認識部１３２０に第一アクセサリー１５２０のコードを判定するよう指示する。かかる指示を受けて、コード認識部１３２０は、第一アクセサリー１５２０のコードデータを読み出し、制御部１３９０の記憶部に一時的に保存する（Ｓ３２０２）。
【０２４６】
そして、ステップＳ３２０３では、制御部１３９０はコードデータと第一通信機器（玩具）１０１５の認識ＩＤを第一無線記憶装置１００５に一時的に保持するように第一無線記憶装置１００５を制御する。第一無線記憶装置１００５は、第一通信機器（玩具）１０１５に格納されている第一アクセサリー１５２０のコードデータと第一通信機器（玩具）１０１５の認識ＩＤを一時的に記憶する。
【０２４７】
制御部１３９０は、基地局１５３０のＮＦＣ送受信部１６１０から信号を受信可能なことを示すレディ信号を受けて（ステップＳ３２０４）、基地局１５３０にコードデータと第一通信機器（玩具）１０１５の認識ＩＤを送信する（ステップＳ３２０５）。
【０２４８】
ステップＳ３２０６では、制御部１６７０は、コードデータと第一通信機器（玩具）１０１５の認識ＩＤを受けて、これらのデータを、通信部１６６０を介して、サーバー１５３５に送信する。サーバー１５３５は、第一通信機器（玩具）１０１５の認識ＩＤと第一通信機器（玩具）に搭載した第一アクセサリー１５２０のコードデータとを対応付けしたテーブルを保持する。サーバー１５３５には、コードデータに対応した画像データ、動画データや音声データが対応付けられたテーブルも保持する。
【０２４９】
ステップＳ３２０７では、制御部１６７０は、サーバー１５３５からコードデータに対応した画像データや動画データを抽出して、表示部１６２０に表示する。制御部１６７０は、サーバー１５３５からコードデータに対応した音声データを抽出して、スピーカー１６３０に出力する。
【０２５０】
（ケース３）  
ケース３は、第一通信機器（玩具）１０１５が何らかの理由で故障した場合や第一通信機器（玩具）１０１５を新しいバージョンのものに買い替え場合、複数の第一通信機器（玩具）１０１５でデータを共有したい場合等に、第一通信機器（玩具）１０１５で使用していたデータを他の第二通信機器（玩具）１０１７に移動される場合の通信方法に関する。
【０２５１】
ケース３について、図３２を用いて具体的に説明する。  
ケース３では、基地局１５３０を用いて、第一通信機器（玩具）１０１５で使用していたデータを他の第二通信機器（玩具）１０１７に移動させる。
【０２５２】
まず、ステップＳ３３０１では、基地局１５３０の制御部１６７０は、第一通信機器（玩具）１０１５にデータを受信可能である旨の通知をする。第一通信機器（玩具）１０１５は、第一無線記憶装置１００５を介してこの通知を受けて、第一通信機器（玩具）１０１５の認識ＩＤ、制御部１３９０内のキャッシュメモリ１３９５のデータ、不揮発性半導体メモリ１０２５、第一記憶部１０４０等のデータを基地局１５３０に送信する（ステップＳ３３０２）。
【０２５３】
基地局１５３０の制御部１６７０は、ＮＦＣ送受信部１６１０を介して、第一通信機器（玩具）１０１５の認識ＩＤ、制御部１３９０内のキャッシュメモリ１３９５のデータ等を受け取り、通信部１６６０を介してサーバー１５３５に転送する（ステップＳ３３０３）。
【０２５４】
ステップＳ３３０４では、サーバー１５３５は、受信した第一通信機器（玩具）１０１５の認識ＩＤ、制御部１３９０内のキャッシュメモリ１３９５のデータ等を保存する。
【０２５５】
ステップＳ３３０５では、ユーザの制御により、第二通信機器（玩具）１５１０は、第二無線記憶装置１５１０を介して、第二通信機器（玩具）１５１０の認識ＩＤ、制御部１３９０内のキャッシュメモリ１３９５のデータ、不揮発性半導体メモリ１０２５、第一記憶部１０４０等のデータを基地局１５３０に送信する。
【０２５６】
ステップＳ３３０６では、サーバー１５３５が第二通信機器（玩具）１５１０の認識ＩＤを受領して、第一通信機器（玩具）１０１５の認識ＩＤを有するユーザと同一のユーザであるか認証する。認証が完了した場合には、サーバー１５３５は、第一通信機器（玩具）１０１５の認識ＩＤに対応する制御部１３９０内のキャッシュメモリ１３９５のデータ等を、第二通信機器（玩具）１５１０に送信する。
【０２５７】
その結果、ユーザは、第二通信機器（玩具）１５１０を第一通信機器（玩具）１０１５と同じ環境で使用することができる。
【０２５８】
（ケース４）  
ケース４は、第一通信機器１０１５と基地局１５３０の間のＮＦＣ通信、第二通信機器１０１７と基地局１５３０の間のＮＦＣ通信に関する。基地局１５３０は、複数のＮＦＣ送受信部１６１０を含む。説明の便宜上、基地局１５３０は２つのＮＦＣ送受信部１６１０を含むものとする。第一ＮＦＣ送受信部１６１０は、第一通信機器１０１５とＮＦＣ通信をし、第二ＮＦＣ送受信部１６１０は、第二通信機器１０１７とＮＦＣ通信をするものとする。基地局１５３０は、第一通信機器１０１５を所有するユーザと第二通信機器１０１７を所有するユーザによる対戦ゲームを提供する。
【０２５９】
ケース４について、図３３を用いて説明する。  
まず、ステップＳ３４０１では、外部の指示によって、第一通信機器（玩具）１０１５の制御部１３９０は、コード認識部１３２０に第一アクセサリー１５２０のコードを判定するよう指示する。かかる指示を受けて、コード認識部１３２０は、第一アクセサリー１５２０のコードデータを読み出し、制御部１３９０の記憶部に一時的に保存する（Ｓ３４０２）。
【０２６０】
そして、ステップＳ３４０３では、制御部１３９０はコードデータと第一通信機器（玩具）１０１５の認識ＩＤを第一無線記憶装置１００５に一時的に保持するように第一無線記憶装置１００５を制御する。第一無線記憶装置１００５は、第一通信機器（玩具）１０１５に格納されている第一アクセサリー１５２０のコードデータと第一通信機器（玩具）１０１５の認識ＩＤを一時的に記憶する。
【０２６１】
ステップＳ３４０１'〜ステップＳ３４０３'は、ステップＳ３４０１〜ステップＳ３４０３と同様であるため、詳細な説明は省略する。
【０２６２】
ステップＳ３４０３'により、第二無線記憶装置１５１０は、第二通信機器（玩具）１０１７に格納されている第二アクセサリー１５２５のコードデータと第二通信機器（玩具）１０１７の認識ＩＤを一時的に記憶する。
【０２６３】
ステップＳ３４０４では、制御部１６７０は、第一無線記憶装置１００５から第一アクセサリー１５２０のコードデータと第一通信機器（玩具）１０１５の認識ＩＤを読み取り、第二無線記憶装置１５１０から第二アクセサリー１５２５のコードデータと第二通信機器（玩具）１０１７の認識ＩＤを読み取る。
【０２６４】
ステップＳ３４０５では、制御部１６７０は、第一アクセサリー１５２０のコードデータと第二アクセサリー１５２５のコードデータを比較して、勝敗に関するデータを生成する。
【０２６５】
ステップＳ３４０６では、制御部１６７０は、いずれのユーザが勝者であるか勝敗に関するデータから判定して、表示部１６２０に表示する。
【０２６６】
なお、ケース４では、各アクセサリーのコートデータを比較して勝敗に関するデータを生成しているが、この場合に限定されず、アクセサリーのコードデータとユーザのレベルに関する情報に基づいて点数化して、制御部１６７０が勝敗に関するデータを生成してもよい。具体的には点数が高いユーザを勝者として、点数が低いユーザを敗者とする。
【０２６７】
ここで、レベルに関する情報は、例えばユーザが保持するアクセサリーの種類や基地局との通信した回数、通信した基地局の数等により総合的に算出される。このレベルに関する情報は、例えば各玩具に装着された第一無線記憶装置１００５の管理領域に保持される。
【０２６８】
（ケース５）  
ケース５は、第一通信機器１０１５と第二通信機器１０１７との間のＮＦＣ通信に関する。第一通信機器１０１５及び第二通信機器１０１７いずれにも、ディスプレイをさらに含むものとする。第一通信機器１０１５に搭載されている第一無線記憶装置１００５、第二通信機器１０１７に搭載されている第二無線記憶装置１５１０は、さらにＮＦＣリーダとＮＦＣライタの機能を有するものとする。この場合には、第一無線記憶装置１００５及び第二無線記憶装置１５１０に保持されているコートデータ等をＮＦＣ通信で双方にやりとりできる。このため、基地局１５３０を使用せずにケース３の対戦ゲームを行うことができる。  
以下、具体的にケース５について、図３４を用いて説明する。
【０２６９】
ステップＳ３５０１では、外部の指示によって、第一通信機器（玩具）１０１５の制御部１３９０は、コード認識部１３２０に第一アクセサリー１５２０のコードを判定するよう指示する。かかる指示を受けて、コード認識部１３２０は、第一アクセサリー１５２０のコードデータを読み出し、制御部１３９０の記憶部に一時的に保存する（Ｓ３５０２）。
【０２７０】
そして、ステップＳ３５０３では、制御部１３９０はコードデータを第一無線記憶装置１００５に一時的に保持するように第一無線記憶装置１００５を制御する。第一無線記憶装置１００５は、第一通信機器（玩具）１０１５に格納されている第一アクセサリー１５２０のコードデータを一時的に記憶する。
【０２７１】
ステップＳ３５０１'〜ステップＳ３５０３'は、ステップＳ３５０１〜ステップＳ３５０３と同様であるため、詳細な説明は省略する。
【０２７２】
ステップＳ３５０４では、第一無線記憶装置１００５の制御部１３９０は、第二無線記憶装置１５１０から第二アクセサリー１５２５のコードデータを読み取る。
【０２７３】
同様に、第二無線記憶装置１５１０の制御部１３９０は、第一無線記憶装置１００５から第一アクセサリー１５２０のコードデータを読み取る。
【０２７４】
そして、ステップＳ３５０５では、第一無線記憶装置１００５の制御部１３９０は、第一アクセサリー１５２０のコードデータと第二アクセサリー１５２５のコードデータを比較して、勝敗に関するデータを生成する。
【０２７５】
第二無線記憶装置１５１０の制御部１３９０も、第一アクセサリー１５２０のコードデータと第二アクセサリー１５２５のコードデータを比較して、勝敗に関するデータを生成する。
【０２７６】
ステップＳ３３０６では、第一無線記憶装置１００５の制御部１３９０は、いずれのユーザが勝者であるか勝敗に関するデータから判定して、表示部１６２０に表示する。同様に、第二無線記憶装置１５１０の制御部１３９０は、いずれのユーザが勝者であるか勝敗に関するデータから判定して、表示部１６２０に表示する。
【０２７７】
なお、本ケースでは、第一無線記憶装置１００５、第二無線記憶装置１５１０それぞれが双方の第一アクセサリー１５２０のコードデータと第二アクセサリー１５２５のコードデータを取得しているが、この場合に限定されず、例えば、第一無線記憶装置１００５のみが第一アクセサリー１５２０のコードデータと第二アクセサリー１５２５のコードデータを取得して、勝敗に関するデータを生成してもよい。第一無線記憶装置１００５から、この勝敗に関するデータを第二無線記憶装置１５１０に送信して、第二無線記憶装置１５１０のディスプレイにいずれのユーザが勝者であるか勝敗であるか表示してもよい。
【０２７８】
（ケース６）  
ケース６では、第一通信機器１０１５から取り外した第一無線記憶装置１００５を第三通信機器１０１９の撮像装置（カメラ）で写したときに、拡張現実（ＡＲ）により、第三通信機器１０１９のディスプレイ上でキャラクターが動く例を説明する。
【０２７９】
図３５に示すように、第一無線記憶装置１００５を第三通信機器１０１９の撮影部１１１０で撮像したとき、表示部１０９５のうち第一無線記憶装置１００５の周辺にキャラクターの画像や動画が表示される。
【０２８０】
ケース６では、サーバー１５３５に、第一通信機器（玩具）１０１５の認識ＩＤと動画データ・画像データが対応して保存されている。  
以下、具体的な動作を、図３６を用いて説明する。
【０２８１】
まず、ステップＳ３６０１では、第三通信機器１０１９は、ネットワーク（例えばインターネット）を介してサーバー１５３５に接続して、第一通信機器（玩具）１０１５の認識ＩＤをサーバー１５３５に送信する。
【０２８２】
ステップＳ３６０２では、サーバー１５３５は第一通信機器（玩具）１０１５の認識ＩＤに対応する画像データ／動画データを抽出して、ネットワーク（例えばインターネット）を介して第三通信機器１０１９に画像データ／動画データを送信する。
【０２８３】
ステップＳ３６０３では、第三通信機器１０１９は、受信した画像データ／動画データと第一通信機器（玩具）１０１５の認識ＩＤとを対応づけて記憶部（図示略）に保存する。
【０２８４】
ステップＳ３６０４で、第三通信機器１０１９は、カメラアプリを起動する。第三通信機器１０１９のカメラを介して、第三通信機器１０１９は、第一無線記憶装置１００５を検知したとき、第一無線記憶装置１００５の認識ＩＤを判定する（ステップＳ３６０５，Ｓ３６０６）。
【０２８５】
ステップＳ３６０７・Ｓ３６０８では、第三通信機器１０１９は、表示部１０９５に撮像された画像に、第一無線記憶装置１００５の認識ＩＤに対応する画像データ／動画データを合成して、表示部１０９５に表示する。
【０２８６】
なお、本実施形態では、ステップＳ３６０３では、第三通信機器１０１９は、受信した画像データ／動画データと第一通信機器（玩具）１０１５の認識ＩＤとを対応づけて記憶部（図示略）に保存する。しかし、これに限定されることなく、例えば第一通信機器（玩具）１０１５の認識ＩＤと音声データも対応付けされて保存されていてもよい。
【０２８７】
第一通信機器（玩具）１０１５の認識ＩＤに対応付けした画像データ／動画データを表示する際に、第三通信機器１０１９のスピーカーから音声データを出力するような構成としてもよい。
【０２８８】
図３７は、第一無線記憶装置１００５の動作例と遊戯システムの動作例の各ステップの対応関係をまとめた表の一例である。各矢印はデータの流れを示しており、ハッチングされている領域は第一ホスト１８００側からの通電がある状態で動作可能な状態を示している。なお、不揮発性半導体メモリ１０２５及び第一記憶部１０４０は、データを保持するだけの場合は、第一ホスト側からの通電が無くとも保持が可能である。
【０２８９】
図３７に示すように、第一の動作例は、ケース２（Ｓ３２０１〜Ｓ３２０７）〜ケース５（Ｓ３５０１〜３５０７）のフローを実行することによって実現される。第二の動作例は、ケース１（Ｓ３１０１〜Ｓ３１１１）、ケース３（Ｓ３３０１〜Ｓ３３０７）、及びケース５（Ｓ３５０１〜Ｓ３５０７）のフローを実行することによって実現される。第三の動作例は、ケース２（Ｓ３２０１〜Ｓ３２０７）〜ケース５（Ｓ３５０１〜３５０７）のフローを実行することによって実現される。第四の動作例は、ケース１（Ｓ３１０１〜Ｓ３１１１）、ケース３（Ｓ３３０１〜Ｓ３３０７）、及びケース５（Ｓ３５０１〜Ｓ３５０７）のフローを実行することによって実現される。第五の動作例は、ケース２（Ｓ３２０１〜Ｓ３２０７）〜ケース５（Ｓ３５０１〜３５０７）のフローを実行することによって実現される。第六の動作例は、ケース１（Ｓ３１０１〜Ｓ３１１１）、ケース３（Ｓ３３０１〜Ｓ３３０７）、及びケース５（Ｓ３５０１〜Ｓ３５０７）のフローを実行することによって実現される。第七の動作例は、ケース１（Ｓ３１０１〜Ｓ３１１１）〜ケース５（Ｓ３５０１〜Ｓ３５０７）のフローを実行することによって実現される。
【０２９０】
それぞれの動作例において、データの所在箇所に応じて、第一の動作例〜第六の動作例を適用することができる。ケースごとに同一の動作例を適用する場合に限らず、１つまたは複数のステップごとに動作例を切り替えて適用してもよい。第一無線記憶装置１００５が接続されている第一通信機器１０１５が他の記憶部を有する場合には、第七の動作例を適用して、認証動作及びデータ転送等行うことができる。なお、これらの動作例は、一連のフローとして実行してもよく、第一通信機器１０１５からの電源の供給状況に応じて、分割して実行してもよい。
【０２９１】
（第二実施形態）  
図３８は、第二の実施形態を模式的に示したブロック図である。
【０２９２】
前述した実施形態では、第一無線記憶装置１００５は、無線通信可能な第一ＮＦＣコントローラ１０３０を備えていた。上述した実施形態は、これに限られない。つまり、図３８に示したように第一記憶装置１００５'は無線通信可能な機能を有しておらず、第一通信機器１０１５'にＮＦＣの無線通信機能を設けたとしても構わない。
【０２９３】
第一通信機器１０１５'は、第一記憶装置１００５'と、第二通信機器１０１７と、第一アクセサリー１５２０と、第三通信機器１０１９と、基地局１５３０と、通信する。第一通信機器１０１５'と第一記憶装置１００５'との通信は有線による。第二通信機器１０１７と、第三通信機器１０１９と、基地局１５３０と、の通信は、例えば無線である。第一アクセサリー１５２０との通信は、有線でも無線でも構わない。
【０２９４】
図３９は、本実施形態の第一通信機器１０１５'の構成を示した模式的なブロック図である。ＮＦＣ送受信部１３８０が含まれている以外は同様の構成である。  
この第一通信機器１０１５'を用いても、第一の実施形態とほぼ同様に構成することができるため、説明を省略する。
【０２９５】
（第三実施形態）  
図４０は、第一アクセサリー１５２０'がＮＦＣタグ１７６０及び第三無線アンテナ１７５０を有している場合を示している。第一アクセサリー１５２０は、第三無線アンテナ１７５０を介して、外部とＮＦＣ通信することができる。この第一アクセサリー１５２０'を用いても、第一の実施形態とほぼ同様に構成することができる。
【０２９６】
（第四実施形態）
上述したような複数の動作例（動作モード）を有し、ＮＦＣ通信機能を備えた第一無線記憶装置１００５は、上述のような対戦型の遊戯システムのために用いる場合に限らず、コンテンツラリーのような他の遊戯システムや、他のメモリシステムとともに用いることができる。コンテンツラリーとは、たとえば複数の店舗に設置されているステーションから利用者が保有する第一無線記憶装置１００５を用いてコンテンツデータを取得する遊戯である。
本実施形態の第一無線通信装置は、大容量の不揮発性半導体メモリ１０２５に格納されている複数のデータのうち、一部のデータの指定をＮＦＣ通信機能を用いて、そのデータをＮＦＣ通信によって取り出すことができる。
図４１は、本実施形態に係るメモリシステム及びその構成を説明する模式的なブロック図である。
図４２は、本実施形態のメモリシステムのより具体的な実施例を例示する模式的な図である。
図４３は、本実施形態のメモリシステムの動作を説明するための模式的なフローチャートである。
図４４（ａ）〜図４４（ｃ）は、本実施形態の第一無線記憶装置の動作を説明するための模式的ブロック図である。
【０２９７】
図４１に示すように、本実施形態のメモリシステムは、第一無線記憶装置１００５と、第一通信機器１０１５と、第二通信機器１０１９と、を備えている。この第一無線記憶装置１００５は、上述したものと同一であり、詳細な説明は省略する。第一無線記憶装置１００５は、第一通信機器１０１５と電気的に接続されている。この実施形態では、第一通信機器１０１５は、例えば、店舗に配置されたコンピュータ端末である。第一通信機器１０１５は、第一無線記憶装置１００５の接続端子１０６５を介して電気的に接続されている。第一通信機器１０１５は、自己が有している複数のデータを第一無線記憶装置１００５に転送して、第一無線記憶装置１００５は、たとえば、不揮発性半導体メモリ１０２５にその複数のデータを格納している。なお、第一通信機器１０１５は、接続端子１０６５を介して第一無線記憶部１００５に電力を供給することができればよく、第一通信機器１０１５に代えて他の手段によって第一無線記憶部１００５に電力を供給するようにしてもよい。
【０２９８】
第一無線記憶装置１００５は、第二通信機器１０１９と電気的に接続される。この接続は、無線通信による接続である。第二通信機器１０１９は、たとえば、店舗の利用者（顧客）が保有するスマートフォンである。第二通信機器１０１９は、第一無線記憶装置１００５の第一無線アンテナ１０２０を介して接続される。
【０２９９】
より具体的には、図４２に示すように、本実施形態のメモリシステムは、第一無線記憶装置１００５であるメモリカードと、メモリカードが接続された第一通信機器１０１５であるコンピュータ端末と、取得すべきデータ指定を行う第二通信機器１０１９であるスマートフォンを含んでいる。この例では、第一通信機器１０１５である端末コンピュータには、変換アダプタによりＵＳＢ給電されるように構成されている。
【０３００】
第一無線記憶装置１００５の不揮発性半導体メモリ１０２５には、たとえば第一通信機器１０１５が有する複数のデータが転送され、格納されている。複数のデータは、この例では、毎日の料理のレシピが記載されているドキュメントのデータである。データは、日付ごとに１つのデータが格納されている。第一無線記憶装置１００５の不揮発性半導体メモリ１０２５に転送される複数のデータは、第一通信機器１０１５の有するデータである必要はなく、他のコンピュータ端末等によって書き込まれたデータであってもよい。第一無線記憶装置１００５は、第一通信機器１０１５と接続されており、第一通信機器１０１５から電源供給を受けることができる。
【０３０１】
この例では、第一無線記憶装置１００５及び第一通信機器１０１５は、複数のデータに含まれる料理のレシピの素材を販売するスーパーマーケット等の小売店舗に配置されている。
【０３０２】
第一無線記憶装置１００５及び第一通信機器１０１５が配置された小売店舗等に来店する利用者は第二通信機器１０１９であるスマートフォンを保有している。利用者は、複数のデータのうちから特定のデータを取得する情報を第二通信機器１０１９に対して行うことができる。
【０３０３】
利用者は、特定のデータを取得する情報を第二通信機器１０１９に対して行い、第一無線記憶装置１００５にかざすことによって、第一無線記憶装置１００５と第二通信機器１０１９との接続が確立される。第二通信機器１０１９によって指定された情報は、第一無線記憶装置１００５に送信され、第一無線記憶装置１００５は、指定された情報に該当するデータを不揮発性半導体メモリ１０２５から取得して、そのデータを第二通信機器１０１９に送信する。
【０３０４】
より具体的に説明すると以下のようになる。すなわち、図４３に示すように、第一無線記憶装置１００５は、第一通信機器（第一ホスト）１０１５から転送されたデータを不揮発性半導体メモリ１０２５に書き込まれる（ステップＳ９１０１、Ｓ９１０２）。
【０３０５】
ステップＳ９１０３において、第二通信機器（第二ホスト）１０１９によって、取得すべきデータの種別、たとえば当日の日付が設定される。第二通信機器１０１９と第一無線記憶装置１００５との接続が確立された後、指定情報である当日の日付（４月２日）が第一ＮＦＣコントローラ１０３０によって第一記憶部１０４０に記憶される。
【０３０６】
ステップＳ９１０４において、第一コントローラ１０３３によって、第一記憶部１０４０に格納されている指定情報である当日の日付（４月２日）が取得される。
【０３０７】
ステップＳ９１０５において、第一コントローラ１０３３によって、指定情報である当日の日付（４月２日）に該当するデータ（４月２日のレシピのドキュメントファイル）が不揮発性半導体メモリ１０２５から読み出され、第一記憶部１０４０に書き込まれる。
【０３０８】
ステップＳ９１０６において、第一ＮＦＣコントローラ１０３０によって、該当するデータ（４月２日のレシピのドキュメントファイル）が第一無線アンテナ１０２０を介して第二通信機器１０１９に送信される。
【０３０９】
図４４（ａ）に示すように、第一無線記憶装置１００５には、複数のデータが不揮発性半導体メモリ１０２５に書き込まれている。不揮発性半導体メモリ１０２５への書き込みに際しては、第一通信機器１０１５等の書き込み時のホストから電源供給がなされている。なお、複数のデータを書き込んだコンピュータ端末と、店舗利用時に第一無線記憶装置１００５に電源を供給するコンピュータ端末とが相違する場合に、不揮発性半導体メモリ１０２５の内容を店舗利用時のコンピュータ端末のデータで上書き等しないように設定してもよい。不揮発性半導体メモリ１０２５の特定の領域に、書込みを禁止するための識別領域を設けることによって、上書き等防止することができる。
【０３１０】
図４４（ｂ）に示すように、第二通信機器１０１９からの指定情報の送信（ステップＳ９１０３）には、ＮＦＣ通信が用いられる。そのため、第一無線記憶装置１００５は、第一通信機器１０１５からの電力供給がなくてもデータの送受信が可能である。
【０３１１】
図４４（ｃ）に示すように、第一コントローラ１０３３の制御の下、不揮発性半導体メモリ１０２５から第一記憶部１０４０に指定情報に一致するデータを転送することができる。
【０３１２】
この実施形態のメモリシステムでは、第一通信機器１０１５から第二通信機器１０１９への第一無線記憶装置１００５を介するデータの転送には、第一の動作例の手順にしたがって行うことができる。そして、このデータの転送に際して、一部の指定情報に一致するデータを転送することができるので、ＮＦＣの通信容量や、第一記憶部１０４０の記憶容量に応じたデータに転送を行うことができる。また、第一記憶部１０４０から第二通信機器１０１９へのデータの転送には、ＮＦＣ通信を用いるので、第一無線記憶装置１００５には電力を供給する必要がない。たとえば、店舗側で、第一通信機器１０１５に第一無線記憶装置１００５を接続した状態で当日のデータのみを第一記憶部１０４０に転送した状態とすることによって、第一ＮＦＣコントローラ１０３０によって、指定情報に一致するデータを第二通信機器１０１９に送信するようにすることもできる。そのため、予め小容量のデータを第一記憶部１０４０に転送しておくことによって、第一通信機器１０１５からの電源供給がない状態であっても、メモリシステムを動作させることができる。
【０３１３】
（第五実施形態）
ＮＦＣ通信機能を備えた第一無線記憶装置１００５は、上述のような対戦型の遊戯システムのために用いる場合に限らず、コンテンツラリーのような巡回型の遊戯システム等にも用いることができる。本実施形態のメモリシステムは、利用者が異なる場所に設置されたステーションを巡回する所謂スタンプラリーを模した遊戯である。
図４５は、本実施形態に係るメモリシステム及びその構成を説明する模式的なブロック図である。
図４６は、本実施形態のメモリシステムのより具体的な実施例を例示する模式的な図である。
図４７は、本実施形態のメモリシステムの動作を説明するための模式的なフローチャートである。
図４８（ａ）〜図４８（ｃ）は、本実施形態の第一無線記憶装置の動作を説明するための模式的ブロック図である。
【０３１４】
図４５に示すように、本実施形態のメモリシステムは、第一無線記憶装置１００５を備えている。この第一無線記憶装置１００５は、上述したものと同一であり、詳細な説明は省略する。第一無線記憶装置１００５は、基地局１５３０，１５３１，１５３２に接続される。基地局１５３０，１５３１，１５３２は、上述した基地局１５３０と同一の構成を有している。第一無線記憶装置１００５は、複数の基地局１５３０，１５３１，１５３２のそれぞれに順次接続される。複数の基地局１５３０，１５３１，１５３２は、異なる場所に設置されたステーションＡ、ステーションＢ及びステーションＣである。基地局の数は限定されず、１台でもよく、２台でもよく、４台以上でもよい。各基地局１５３０，１５３１，１５３２は、第一無線記憶装置１００５と接続されたときに、それぞれデータを第一無線記憶装置１００５に送信する。データは、第一記憶部１０４０に格納できるデータの大きさであればよく、データの種類に制限はない。たとえば画像データ、音声データ、あるいはテキストであってもよく、単なるフラグ情報のデータであってもよい。また、これらの組み合わせであってもよい。
【０３１５】
第一無線記憶装置１００５は、接続端子１０６５を介して、第一通信機器１０１５に電気的に接続することができる。第一無線記憶装置１００５は、第一通信機器１０１５に接続されたときに、第一通信機器１０１５からデータを受信する。受信されたデータは、第一無線記憶装置１００５の不揮発性半導体メモリ１０２５に記憶される。第一無線記憶装置１００５が第一通信機器１０１５から受信するデータは、不揮発性半導体メモリ１０２５に格納できる大きさのデータの大きさであればよく、データの種類には制限はない。たとえば、画像データ、音声データ、あるいはテキストであってもよく、単なるフラグ情報のデータであってもよい。また、これらの組み合わせであってもよい。
【０３１６】
なお、この例では、第一通信機器１０１５は、サーバー１５３５に接続されているが、第一通信機器１０１５は、第一記憶部１０４０に記憶できる程度の十分な記憶容量を有し、第一無線記憶装置１００５とデータの交換をすることができれば、スタンドアロンであってもよい。
【０３１７】
第一通信機器１０１５は、たとえば店舗等に配置されたコンピュータ端末等である。後述するように、第一通信機器１０１５は、それぞれの基地局１５３０，１５３１，１５３２と組み合わされていてもよい。つまり、ステーションＡが、第一無線記憶装置１００５とＮＦＣ通信によって接続しデータの交換を行うことができるとともに、接続端子１０６５を介して接続することができる。この例では、基地局１５３０，１５３１，１５３２と、第一通信機器１０１５とは、別体の装置として構成されているが、基地局１５３０，１５３１，１５３２それぞれと第一通信機器１０１５とを一体として構成するようにしてもよい。つまり、ＮＦＣ通信の各ステーションがメモリカードのインタフェースを有するように構成してもよい。
【０３１８】
より具体的には、図４６に示すように、本実施形態では、スタンプの代わりに、巡回した印として電子データを用いる。電子データは、たとえば静止画像データＤＡＴＡ１，ＤＡＴＡ２，ＤＡＴＡ３である。複数のステーションには、たとえば漫画のキャラクターの静止画像データＤＡＴＡ１，ＤＡＴＡ２，ＤＡＴＡ３がそれぞれ格納されており、利用者が第一無線記憶装置１００５であるメモリカードをステーションにかざしたときに、ＮＦＣ通信によって、キャラクターの静止画像データＤＡＴＡ１，ＤＡＴＡ２，ＤＡＴＡ３のいずれかを受信することができる。すべてのステーションをまわってすべてのキャラクターの静止画像データＤＡＴＡ１，ＤＡＴＡ２，ＤＡＴＡ３を取得した利用者は、第一無線記憶装置１００５を、第一通信機器１０１５に接続することによって、キャラクターの静止画像データＤＡＴＡ１，ＤＡＴＡ２，ＤＡＴＡ３よりもデータ容量の大きいデータ、たとえば動画データを受け取ることができる。つまり、本実施形態のメモリシステムでは、スタンプの代わりにキャラクターの静止画像データＤＡＴＡ１，ＤＡＴＡ２，ＤＡＴＡ３を集めて、すべてを集めた利用者には、電子データによる特典が与えられる遊戯システムを構成することができる。
【０３１９】
より具体的に説明すると以下のようになる。すなわち、図４７に示すように、ステップＳ９２０１において、基地局１５３０であるステーションＡによって、書き込みコマンドが送信され、続いて静止画像データが第一無線記憶装置１００５に送信される。静止画像データＤＡＴＡ１，ＤＡＴＡ２，ＤＡＴＡ３には、それぞれフラグ情報が付与されており、フラグ情報とともに第一無線記憶装置１００５に送信される。利用者がすべての静止画像データＤＡＴＡ１，ＤＡＴＡ２，ＤＡＴＡ３を取得してフラグ情報がすべて立つと、第一記憶部１０４０に特定のＵＲＬデータが書き込まれる。
【０３２０】
ステップＳ９２０２において、第一無線記憶装置１００５の第一ＮＦＣコントローラ１０３０によって、静止画像データＤＡＴＡ１，ＤＡＴＡ２，ＤＡＴＡ３及びフラグ情報が第一記憶部１０４０に書き込まれる。
【０３２１】
ステップＳ９２０３において、他の基地局１５３１であるステーションＢは、第一無線記憶装置１００５の第一記憶部１０４０にすべてのフラグ情報のデータが書き込まれているかをチェックする。未充足のフラグ情報がある場合には、第一無線記憶装置１００５は、次の基地局から静止画像データＤＡＴＡ１，ＤＡＴＡ２，ＤＡＴＡ３のいずれか取得していないデータを受信するまで待機する。なお、この基地局１５３１は、その後第一無線記憶装置１００５に対して何もしない。
【０３２２】
コンテンツがすべて書き込まれた場合には、ステップＳ９２０４において、第一コントローラ１０３３によって第一通信機器１０１５に特典データが格納されているＵＲＬを送信する。特定のＵＲＬデータは、第一通信機器１０１５が予め有するようにしてもよい。
【０３２３】
ステップＳ９２０５において、第一通信機器１０１５によって、ＵＲＬデータを受信し、ステップＳ９２０６において、第一通信機器１０１５は、送信されてきたＵＲＬにアクセスし、保存されている画像データ（あるいは動画データ）等のコンテンツ完了に対する特典データを取得する。
【０３２４】
ステップＳ９２０７において、第一通信機器１０１５に接続端子１０６５を介して接続された第一無線記憶装置１００５の第一コントローラ１０３３によって、特典データを受信する。
【０３２５】
ステップＳ９２０８において、第一コントローラ１０３３によって、不揮発性半導体メモリ１０２５に特典データを書き込む。
【０３２６】
図４８（ａ）に示すように、第一無線記憶装置１００５は、第一ＮＦＣコントローラ１０３０を有しているので、第一通信機器１０１５等からの電源の供給がなくとも、データの書き込みを行うことができる。したがって、第一無線記憶装置１００５を利用者は、第一無線記憶装置１００５を駆動するための駆動機器等を持たずにステーション間を持ちまわることできる。
【０３２７】
図４８（ｂ）に示すように、第一記憶部１０４０に書き込まれたデータは、不揮発性半導体メモリ１０２５への書き込み及び読み出しを介することなく、第一コントローラ１０３３の制御の下、第一通信機器１０１５へ転送される。第一通信機器１０１５においては、取得された静止画像データＤＡＴＡ１，ＤＡＴＡ２，ＤＡＴＡ３等に基づく処理を行うことができる。たとえば、取得されるコンテンツデータに、暗号化処理等が行われており、すべてのコンテンツデータがそろうことによって、暗号の解読処理が行われる等の複雑な処理を実行することもできる。
【０３２８】
図４８（ｃ）に示すように、第一無線記憶装置１００５は、第一通信機器１０１５から接続端子１０６５を介して不揮発性半導体メモリ１０２５に大容量のデータを保存することができる。
【０３２９】
この実施形態のメモリシステムでは、基地局１５３０から第一無線記憶装置１００５へ送信されるデータの容量は小さいので、ＮＦＣ通信を介した通信を用いて、電源供給なしで実現することができる。また、ＮＦＣ通信を介して取得した小容量のデータに基づいて、第一通信機器１０１５から高速ネットワークや接続端子１０６５等を介して大容量のデータを取得することができる。つまり、小容量のデータ通信を行うことによって、大容量のデータ通信を可能にすることができる。なお、上述において、基地局１５３０からデータを取得し、そのデータを第一通信機器１０１５に転送する手順については、上述した第四の動作例等を用いることができる。特典データを取得する場合には、直接ＮＦＣ通信を介して、第一記憶部１０４０にデータを書き込むようにしてもよい。その後、利用者の保有するコンピュータ端末等を用いて、第一記憶部１０４０から不揮発性半導体メモリ１０２５へデータ転送することができる（第二の動作例）。また、予め特典データを第一記憶部１０４０に書き込んでおいて、コンテンツデータがそろったときに、第一記憶部１０４０からの読み出しを許可して、不揮発性半導体メモリ１０２５等へデータを転送できるようにしてもよい。
【０３３０】
所謂スタンプラリーの場合には、紙の台紙にスタンプを押して、集めたスタンプの数を競うものである。しかしながら、スタンプは、紙の台紙に押されるので、押されたスタンプを鑑賞する以外に用途はない。また、集めたスタンプの数が所定の数に達したか否かを競い、スタンプ数が所定数に達した場合には、景品と引き換えることができる等の特典を設ける場合もあるが、景品の置き場所を確保したり、引き換えのための人員配置等、物品の交換のための資源を準備する必要がある。
【０３３１】
これに対して、本実施形態のメモリシステムでは、利用者は、取得した電子データである静止画像データ等を自己の保有するコンピュータ端末やスマートフォンを用いて電子メール用の装飾に用いる等利用範囲が拡大する。また、取得した静止画像データを友人等の第三者に複製物を送信等することができる場合もある。また、特典データも電子データであるため、上述のような加工、転送等の用途が広がる。
【０３３２】
一方、例えばＮＦＣ通信機能を搭載したＩＣカードを用いて、複数のステーションを巡回して、スタンプラリーに模した遊戯が行われている。この場合には、ＩＣカードのＮＦＣ通信の識別情報によって、ステーションに接続されているホストの情報を更新し、所定の数のステーションを巡回したときに、景品と引き換えることができる場合がある。
【０３３３】
これに対して、本実施形態のメモリシステムでは、第一無線記憶装置１００５が第一記憶部１０４０を有しているので、ＮＦＣ通信によって取得した静止画像データＤＡＴＡ１，ＤＡＴＡ２，ＤＡＴＡ３等を記憶し、加工、転送等の用途に用いることができる。また、このメモリシステムは、第一コントローラ１０３３及び大容量の不揮発性半導体メモリ１０２５を有しているので、第一記憶部１０４０に静止画像データＤＡＴＡ１，ＤＡＴＡ２，ＤＡＴＡ３等とは異なる大容量のデータを取得し、記憶することができる。したがって、物品等の引き換えを伴うことなく、利用者は、特典データを入手することができる。
【０３３４】
（第六実施形態）
既に図３（ａ）及び図３（ｂ）に関連して説明したように、本実施形態の第一無線記憶装置１００５は、ＮＦＣ通信において用いられる識別情報のほかに、外囲器表面に付された、例えば二次元のマトリクスコード等であるコード１１２０を有している。第一無線記憶装置１００５の個別の識別を行う場合に、ＮＦＣ通信における識別情報を用いるか、表面に付されたコード１１２０を用いるかを選択等することができる。
【０３３５】
第一無線記憶装置１００５の第一記憶部１０４０にはＮＦＣ通信のための識別情報が格納されている。また、コード１１２０にも識別情報を含む情報が付されている。利用者は、このような第一無線記憶装置１００５であるメモリカードを購入等する。利用者は、このメモリカードを購入後、公表されるくじの当選番号を、第二通信機器１０１９であるスマートフォンによって設定されたＵＲＬ等から入手して取り込むことができる。この当選番号は、いずれかのメモリカードのＮＦＣ通信の識別情報またはその一部と関連付けられている。そのため、利用者は、スマートフォンのＮＦＣ通信機能を用いて、メモリカードのＮＦＣ通信の識別情報を取得し、取得した当選番号と関連付けられているか否かを確認することができる。第二通信機器１０１９に代えて、例えば第一無線記憶装置１００５を購入した店舗等に用意されている基地局１５３０とＮＦＣ通信を行うことによって、識別情報と当選番号との照合を行うようにしてもよい。ここで、スマートフォンがＮＦＣ通信機能を搭載していない場合であっても、スマートフォンのカメラを用いてコード１１２０を撮影することによって、ＮＦＣ通信のための識別情報を得ることができる。得られたコード１１２０の情報と当選番号との関連付けを確認することによって、当選の有無を知ることができる。
【０３３６】
さらに、当選番号と関連付けられている識別情報を有するメモリカードを第一通信機器１０１５である店舗コンピュータに接続端子１０６５を介して接続することによって、第五実施形態のステップＳ９２０４以降のステップによって画像データ等の当選データを取得するようにすることもできる。あるいは、第一通信機器１０１５に代えて、もしくは第一通信機器１０１５と一体化された基地局１５３０を用いて、ＮＦＣ通信を用いて、当選データを取得するようにしてもよい。ＮＦＣ通信を用いる場合には、第五実施形態の場合と同様にＮＦＣ通信を介して直接当選データを取得するようにしてもよい。
【０３３７】
以上のようにして、ＮＦＣ通信の識別情報と、これに関連するデータとの照合を、ＮＦＣ通信または第一無線記憶装置１００５の外囲器表面に付されたコード１１２０のいずれかを用いて行うことができる。さらに、ＮＦＣ通信の識別情報を第一通信機器１０１５側で認識することによって、第一通信機器１０１５と第一無線記憶装置１００５の間の大容量のデータ転送を行うことができる。
【０３３８】
（第七実施形態）
本実施形態のメモリシステムでは、ＮＦＣ通信において用いられる識別情報と、表面に付されたコード１１２０と、を関連付けて用いることによって、なりすましの防止等に用いることができる。
【０３３９】
ＮＦＣ通信においては、データの通信を行う際に、暗号化等の処理を行っていない場合があるので、同一の識別情報を生成して有する悪意の他人等がこの同一識別情報を用いることによって、第一無線記憶装置１００５の本来の所有者になりすますおそれがある。本実施形態の第一無線記憶装置１００５では、ＮＦＣ通信の識別情報とは別に、この識別情報に関連付けられたコード１１２０を有するので、識別情報とコード１１２０の両方を用いて認証を行うことによって、このようななりすましを防止することができる。
【０３４０】
例えば、第一無線記憶装置１００５を、第二通信機器（第二ホスト、スマートフォン）１０１９とＮＦＣ通信によって接続することによってＮＦＣ通信に用いられる識別情報を取得する。コード１１２０には、その識別情報が関連付けられているので、第二通信機器１０１９のカメラを用いてコード１１２０を撮影することによって、そのコード１１２０は、第一無線記憶装置１００５の識別情報と一致するか否かを確認することができる。
【０３４１】
本発明の実施形態を説明したが、本実施形態は、例として提示したものであり、発明の範囲を限定することは意図していない。この新規な実施形態は、その他の様々な形態で実施されることが可能であり、発明の趣旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【０３４２】
２０  第一無線アンテナ、２５  不揮発性半導体メモリ、４５  電圧検波器、６５  接続端子、１００５  第一無線記憶装置、１０１５  第一通信機器、１０１７  第二通信機器、１０１９  第三通信機器、１０２０  第一無線アンテナ、１０２５  不揮発性半導体メモリ、１０３０  コントローラ、１０３３  第一コントローラ、１０３５  メモリコントローラ、１０４０  第一記憶部、１０４５  電圧検波器、１０６５  接続端子、１０７０  バッテリー部、１０７５  第二無線アンテナ、１０８０  コントローラ、１０８５  制御部、１０９０  第二記憶部、１０９５  表示部、１０９９  第三通信機器、１１００  入力部、１１０５  無線通信部、１１１０  撮影部、１１１５  スピーカー、１１２０  コード、１３１０  アクセサリー保持部、１３２０  コード認識部、１３３０  メモリカード格納部、１３４０  スピーカー、１３５０  表示部、１３８０  送受信部、１３９０  制御部、１３９５  キャッシュメモリ、１５１０  第二無線記憶装置、１５２０  第一アクセサリー、１５２５  第二アクセサリー、１５３０  基地局、１５３５  サーバー、１６１０  送受信部、１６２０  表示部（ディスプレイ）、１６３０  スピーカー、１６４０  入力部、１６５０  記憶部、１６６０  通信部、１６７０  制御部、１７１０  コード、１７５０  第三無線アンテナ、１７６０  タグ、１８００  第一ホスト、１８５０  第二ホスト、２８５０  第二ホスト
【図１】
2019057334.tif 000003
【図２】
2019057334.tif 000004
【図３】
2019057334.tif 000005
【図４】
2019057334.tif 000006
【図５】
2019057334.tif 000007
【図６】
2019057334.tif 000008
【図７】
2019057334.tif 000009
【図８】
2019057334.tif 000010
【図９】
2019057334.tif 000011
【図１０】
2019057334.tif 000012
【図１１】
2019057334.tif 000013
【図１２】
2019057334.tif 000014
【図１３】
2019057334.tif 000015
【図１４】
2019057334.tif 000016
【図１５】
2019057334.tif 000017
【図１６】
2019057334.tif 000018
【図１７】
2019057334.tif 000019
【図１８】
2019057334.tif 000020
【図１９】
2019057334.tif 000021
【図２０】
2019057334.tif 000022
【図２１】
2019057334.tif 000023
【図２２】
2019057334.tif 000024
【図２３】
2019057334.tif 000025
【図２４】
2019057334.tif 000026
【図２５】
2019057334.tif 000027
【図２６】
2019057334.tif 000028
【図２７】
2019057334.tif 000029
【図２８】
2019057334.tif 000030
【図２９】
2019057334.tif 000031
【図３０】
2019057334.tif 000032
【図３１】
2019057334.tif 000033
【図３２】
2019057334.tif 000034
【図３３】
2019057334.tif 000035
【図３４】
2019057334.tif 000036
【図３５】
2019057334.tif 000037
【図３６】
2019057334.tif 000038
【図３７】
2019057334.tif 000039
【図３８】
2019057334.tif 000040
【図３９】
2019057334.tif 000041
【図４０】
2019057334.tif 000042
【図４１】
2019057334.tif 000043
【図４２】
2019057334.tif 000044
【図４３】
2019057334.tif 000045
【図４４】
2019057334.tif 000046
【図４５】
2019057334.tif 000047
【図４６】
2019057334.tif 000048
【図４７】
2019057334.tif 000049
【図４８】
2019057334.tif 000050